(57)【要約】【課題】インターネットユーザーをオンライン・ツー・オフライン（Ｏ２Ｏ）から女性美に関する情報を提供する各種ソーシャル・ネットワーキング・サービス（ＳＮＳ）へ移行させる女性向けＳＮＳ提供システムを構築する。【解決手段】このＳＮＳ提供システム１０は、インターネット１４を介して所定情報を送受信可能なサーバ１１とユーザー端末１２Ａ〜１２Ｄとを含む。サーバ１１は、女性美に関する各種女性向けコンテンツを（Ｏ２Ｏ）としてインターネット１４に公開するコンテンツ公開手段と、女性の美に関する各種の（ＳＮＳ）を提供するソーシャルネットワークを構築するソーシャルネットワーク構築手段と、特定多数の会員のユーザー端末１２Ａ〜１２Ｄを利用して各会員に対し、ソーシャルネットワーク構築手段によって構築したそれらソーシャル・ネットワーキング・サービスを提供するソーシャル・ネットワーキング・サービス提供手段とを有する。【選択図】図１
2015095170.tif 000002
【特許請求の範囲】
【請求項１】
インターネットを介して所定の情報を送受信可能なサーバと各種複数のユーザー端末とから形成され、前記サーバが、女性を対象とした美に関する各種複数の女性向けコンテンツをオンライン・ツー・オフライン（Ｏ２Ｏ）としてインターネットに公開するコンテンツ公開手段と、女性の美に関する各種のソーシャル・ネットワーキング・サービス（ＳＮＳ）を提供するためのソーシャルネットワークを構築するソーシャルネットワーク構築手段と、それらユーザー端末を利用して前記コンテンツ公開手段によって公開されたそれら女性向けコンテンツにアクセスした不特定多数のインターネットユーザーの中から希望するユーザーを会員として登録し、特定多数の前記会員のユーザー端末を利用して各会員に対し、前記ソーシャルネットワーク構築手段によって構築したそれらソーシャル・ネットワーキング・サービスを提供するソーシャル・ネットワーキング・サービス提供手段とを有することを特徴とする女性向けＳＮＳ提供システム。
【請求項２】
前記ソーシャル・ネットワーキング・サービス提供手段では、前記サーバがそれら会員のユーザー端末を利用して各会員に対し、女性の美に関する商品またはサービスを対象としたインターネット電子商取引（ｅコマース）を行う請求項１に記載の女性向けＳＮＳ提供システム。
【請求項３】
前記ソーシャル・ネットワーキング・サービス提供手段では、前記サーバがそれら会員のユーザー端末に対し、女性の美に関する商品またはサービスを対象としたインターネット電子商取引を行うために独自に構築したウェブサイト（ＥＣサイト）を配信する請求項１または請求項２に記載の女性向けＳＮＳ提供システム。
【請求項４】
前記ソーシャル・ネットワーキング・サービス提供手段では、前記サーバがそれら会員のユーザー端末を利用して各会員に対し、女性の美に関する商品またはサービスを対象としたインターネット広告を配信する請求項１ないし請求項３いずれかに記載の女性向けＳＮＳ提供システム。
【請求項５】
前記ソーシャル・ネットワーキング・サービス提供手段では、前記サーバがそれら会員のユーザー端末を利用して各会員に対し、女性の美の向上に関する各種の講座、講習、資格試験を対象としたｅラーニングを実施する請求項１ないし請求項４いずれかに記載の女性向けＳＮＳ提供システム。
【請求項６】
前記ソーシャル・ネットワーキング・サービス提供手段では、前記ｅラーニングによって特定の講座、講習、資格試験を終了した会員に修了証を発行するとともに、その修了証を保持する会員をその講座、講習、資格のキャリアとして登録し、キャリアとして登録された会員に対し、その講座、講習、資格に関係する商品またはサービスを割引して提供する請求項５に記載の女性向けＳＮＳ提供システム。
【請求項７】
前記ソーシャル・ネットワーキング・サービス提供手段では、前記サーバがそれら会員のユーザー端末を利用し、所定の会員が前記講座、講習、資格試験に関する知識の教授を希望する場合、前記講座、講習、資格試験に関する知識の教授を希望する会員とその講座、講習、資格のキャリアとして登録された会員とのマッチングを行う請求項６に記載の女性向けＳＮＳ提供システム。
【請求項８】
前記ソーシャル・ネットワーキング・サービス提供手段では、前記サーバがそれら会員のユーザー端末を利用して各会員に対し、女性の美に関する商品を販売するプロフェッショナルの各種複数の女性向けコンテンツまたは女性の美に関するサービスを提供するプロフェッショナルの各種複数の女性向けコンテンツを提供する請求項１ないし請求項７いずれかに記載の女性向けＳＮＳ提供システム。
【請求項９】
前記ソーシャル・ネットワーキング・サービス提供手段では、前記サーバがそれら会員のユーザー端末を利用して各会員に対し、女性のブライダルに関する商品を販売するプロフェッショナルの各種複数の女性向けコンテンツまたは女性のブライダルに関するサービスを提供するプロフェッショナルの各種複数の女性向けコンテンツを提供する請求項１ないし請求項８いずれかに記載の女性向けＳＮＳ提供システム。
【請求項１０】
前記ソーシャル・ネットワーキング・サービス提供手段では、前記サーバがそれら会員のユーザー端末を利用し、所定の会員が女性の美に関する所定の知識の教授を希望する場合、前記知識の教授を希望する会員とその知識を専門とする前記プロフェッショナルとのマッチングを行う請求項１ないし請求項９いずれかに記載の女性向けＳＮＳ提供システム。
【請求項１１】
前記ソーシャル・ネットワーキング・サービス提供手段では、特定の会員が女性の美に関する商品またはサービスを対象としたビジネスを立ち上げた場合、前記サーバがそれら会員のユーザー端末を利用し、前記ビジネスを立ち上げた特定の会員と他の会員との間において、前記特定の会員の商品またはサービスを対象としたインターネット電子商取引（ｅコマース）を行う請求項１ないし請求項１０いずれかに記載の女性向けＳＮＳ提供システム。
【請求項１２】
前記ソーシャル・ネットワーキング・サービス提供手段では、特定の会員が女性の美に関する商品またはサービスを対象としたインターネット電子商取引を行うためのウェブサイト（ＥＣサイト）を独自に構築した場合、前記サーバがそれら会員のユーザー端末を利用してそのウェブサイトを他の会員に配信する請求項１ないし請求項１１いずれかに記載の女性向けＳＮＳ提供システム。
【請求項１３】
前記ソーシャル・ネットワーキング・サービス提供手段では、特定の会員が女性の美に関する商品またはサービスを対象としたビジネスを立ち上げた場合、前記サーバがそれら会員のユーザー端末を利用し、前記ビジネスを立ち上げた特定の会員の商品またはサービスに関するインターネット広告を他の会員に配信する請求項１ないし請求項１２いずれかに記載の女性向けＳＮＳ提供システム。
【請求項１４】
前記ソーシャル・ネットワーキング・サービス提供手段では、それら会員のユーザー端末を利用して特定の会員から前記サーバに女性の美に関する各種の知識またはノウハウの投稿があった場合、前記サーバがそれら会員のユーザー端末に対し、投稿された知識またはノウハウを配信する請求項１ないし請求項１３いずれかに記載の女性向けＳＮＳ提供システム。
【請求項１５】
前記ソーシャル・ネットワーキング・サービス提供手段では、それら会員のユーザー端末を利用して特定の会員から前記サーバに女性の美に関する各種の有益な知識または有益なノウハウの投稿があった場合、その知識またはそのノウハウを投稿した会員のユーザー端末にポイントを付与し、知識またはノウハウを投稿した会員がそのポイントを利用して商品を購入し、または、サービスの提供を受ける請求項１４に記載の女性向けＳＮＳ提供システム。
【請求項１６】
前記サーバが、前記会員のユーザー端末への前記ソーシャル・ネットワーキング・サービス（ＳＮＳ）の提供中に、前記オンライン・ツー・オフライン（Ｏ２Ｏ）として公開される女性の美に関するコンテンツに繋がるリンクを前記ユーザー端末に表示するリンク表示手段を含む請求項１ないし請求項１５いずれかに記載の女性向けＳＮＳ提供システム。
【発明の詳細な説明】
【技術分野】
【０００１】
本発明は、オンライン・ツー・オフライン（Ｏ２Ｏ）から登録した会員に女性の美に関するソーシャル・ネットワーキング・サービス（ＳＮＳ）を提供する女性向けＳＮＳ提供システムに関する。
【背景技術】
【０００２】
物品や情報等の商品を提供するマスタ側に設けられたマスタ機器と、それら商品を受取る店舗や顧客等のユーザ側に設けられたユーザ機器とから形成され、マスタ機器とユーザ機器とがネットワークに接続され、マスタからのそれら商品をユーザ側に提供するコミュニティーライフサポートシステムが開示されている（特許文献１参照）。コミュニティーライフサポートシステムは、マスタ名等のマスタに関するマスタ情報および商品名等の商品に関する商品情報を受け取り、予め設定されたマスタ商品登録要件を満たすか否かを判断し、マスタ商品登録要件を満たす場合にマスタ情報およびそれを構成するマスタ詳細情報に対してマスタコードを付与するとともに、商品情報およびそれを構成する商品詳細情報に対して商品コードを付与してマスタ商品情報登録ＤＢに格納するマスタ商品登録手段と、ユーザ機器からユーザ機器情報を受け取り、ユーザ機器情報から機器の仕様や構造等を解析するとともに、その解析結果をユーザ機器コードを付与してユーザ機器情報ＤＢに格納するユーザ機器管理手段と、トレンド商品に関するトレンド商品情報を予め設定されたトレンド商品判断分類データに基づき判断および分類して、マスタコードおよび商品コードを付与してトレンド情報ＤＢに格納するトレンド情報管理手段と、ユーザが要求する商品またはそれに類似する商品若しくは関連する商品の商品情報をマスタ商品情報登録ＤＢおよびトレンド情報ＤＢから検索してその検索結果をリスト化して提供する提供情報管理手段と、ユーザ側から要求された商品が提供できるか否かをマスタ商品情報登録ＤＢを検索して判断し、該当する商品が提供できない場合にマスタ商品情報登録ＤＢおよびトレンド情報ＤＢを検索して類似商品を提示し、ユーザが決定した商品が提供できるようにする商品決定手段とを有する。
【先行技術文献】
【特許文献】
【０００３】
【特許文献１】特開２００７−４７６１号公報
【発明の概要】
【発明が解決しようとする課題】
【０００４】
前記特許文献１に開示のコミュニティーライフサポートシステムは、オンライン・ツー・オフライン（Ｏ２Ｏ）を利用して不特定多数のインターネットユーザーに所定分野の商品の情報を広く伝達することはできず、それらインターネットユーザーの中から希望するユーザーを不特定多数にオープンされたオンライン・ツー・オフラインからクローズされたソーシャル・ネットワーキング・サービス（ＳＮＳ）の会員にすることができない。したがって、それらインターネットユーザーをオンライン・ツー・オフラインから所定分野の商品の詳細かつ有益な情報を伝達するソーシャル・ネットワーキング・サービスへ移行させることができない。コミュニティーライフサポートシステムは、ソーシャル・ネットワーキング・サービスを利用して商品に関する各種の有益な情報を会員となったユーザーに提供することができず、会員となったユーザーは希望する特定の商品に対する詳細かつ有益な情報を取得することができない。
【０００５】
本発明の目的は、オンライン・ツー・オフライン（Ｏ２Ｏ）を利用して不特定多数のインターネットユーザーに女性の美に関する各種複数の女性向けコンテンツを広く伝達することができ、それらインターネットユーザーをオンライン・ツー・オフラインから女性の美に関する詳細かつ有益な情報を提供する各種のソーシャル・ネットワーキング・サービス（ＳＮＳ）へ移行させることができる女性向けＳＮＳ提供システムを構築することにある。本発明の他の目的は、ソーシャル・ネットワーキング・サービスを利用して女性の美に関する各種の有益な情報を提供することができ、希望するユーザーが女性の美に関する詳細かつ有益な情報を取得することができる女性向けＳＮＳ提供システムを構築することにある。
【課題を解決するための手段】
【０００６】
前記課題を解決するための本発明は、インターネットを介して所定の情報を送受信可能なサーバと各種複数のユーザー端末とから形成され、サーバが、女性を対象とした美に関する各種複数の女性向けコンテンツをオンライン・ツー・オフライン（Ｏ２Ｏ）としてインターネットに公開するコンテンツ公開手段と、女性の美に関する各種のソーシャル・ネットワーキング・サービス（ＳＮＳ）を提供するためのソーシャルネットワークを構築するソーシャルネットワーク構築手段と、それらユーザー端末を利用してコンテンツ公開手段によって公開されたそれら女性向けコンテンツにアクセスした不特定多数のインターネットユーザーの中から希望するユーザーを会員として登録し、特定多数の会員のユーザー端末を利用して各会員に対し、ソーシャルネットワーク構築手段によって構築したそれらソーシャル・ネットワーキング・サービスを提供するソーシャル・ネットワーキング・サービス提供手段とを有することを特徴とする。
【０００７】
本発明の一例として、ソーシャル・ネットワーキング・サービス提供手段では、サーバがそれら会員のユーザー端末を利用して各会員に対し、女性の美に関する商品またはサービスを対象としたインターネット電子商取引（ｅコマース）を行う。
【０００８】
本発明の他の一例として、ソーシャル・ネットワーキング・サービス提供手段では、サーバがそれら会員のユーザー端末に対し、女性の美に関する商品またはサービスを対象としたインターネット電子商取引を行うために独自に構築したウェブサイト（ＥＣサイト）を配信する。
【０００９】
本発明の他の一例として、ソーシャル・ネットワーキング・サービス提供手段では、サーバがそれら会員のユーザー端末を利用して各会員に対し、女性の美に関する商品またはサービスを対象としたインターネット広告を配信する。
【００１０】
本発明の他の一例として、ソーシャル・ネットワーキング・サービス提供手段では、サーバがそれら会員のユーザー端末を利用して各会員に対し、女性の美の向上に関する各種の講座、講習、資格試験を対象としたｅラーニングを実施する。
【００１１】
本発明の他の一例として、ソーシャル・ネットワーキング・サービス提供手段では、ｅラーニングによって特定の講座、講習、資格試験を終了した会員に修了証を発行するとともに、その修了証を保持する会員をその講座、講習、資格のキャリアとして登録し、キャリアとして登録された会員に対し、その講座、講習、資格に関係する商品またはサービスを割引して提供する。
【００１２】
本発明の他の一例として、ソーシャル・ネットワーキング・サービス提供手段では、サーバがそれら会員のユーザー端末を利用し、所定の会員が前記講座、講習、資格試験に関する知識の教授を希望する場合、講座、講習、資格試験に関する知識の教授を希望する会員とその講座、講習、資格のキャリアとして登録された会員とのマッチングを行う。
【００１３】
本発明の他の一例として、ソーシャル・ネットワーキング・サービス提供手段では、サーバがそれら会員のユーザー端末を利用して各会員に対し、女性の美に関する商品を販売するプロフェッショナルの各種複数の女性向けコンテンツまたは女性の美に関するサービスを提供するプロフェッショナルの各種複数の女性向けコンテンツを提供する。
【００１４】
本発明の他の一例として、ソーシャル・ネットワーキング・サービス提供手段では、サーバがそれら会員のユーザー端末を利用して各会員に対し、女性のブライダルに関する商品を販売するプロフェッショナルの各種複数の女性向けコンテンツまたは女性のブライダルに関するサービスを提供するプロフェッショナルの各種複数の女性向けコンテンツを提供する。
【００１５】
本発明の他の一例として、ソーシャル・ネットワーキング・サービス提供手段では、サーバがそれら会員のユーザー端末を利用し、所定の会員が女性の美に関する所定の知識の教授を希望する場合、知識の教授を希望する会員とその知識を専門とするプロフェッショナルとのマッチングを行う。
【００１６】
本発明の他の一例として、ソーシャル・ネットワーキング・サービス提供手段では、特定の会員が女性の美に関する商品またはサービスを対象としたビジネスを立ち上げた場合、サーバがそれら会員のユーザー端末を利用し、ビジネスを立ち上げた特定の会員と他の会員との間において、特定の会員の商品またはサービスを対象としたインターネット電子商取引（ｅコマース）を行う。
【００１７】
本発明の他の一例として、ソーシャル・ネットワーキング・サービス提供手段では、特定の会員が女性の美に関する商品またはサービスを対象としたインターネット電子商取引を行うためのウェブサイト（ＥＣサイト）を独自に構築した場合、サーバがそれら会員のユーザー端末を利用してそのウェブサイトを他の会員に配信する。
【００１８】
本発明の他の一例として、ソーシャル・ネットワーキング・サービス提供手段では、特定の会員が女性の美に関する商品またはサービスを対象としたビジネスを立ち上げた場合、サーバがそれら会員のユーザー端末を利用し、ビジネスを立ち上げた特定の会員の商品またはサービスに関するインターネット広告を他の会員に配信する。
【００１９】
本発明の他の一例として、ソーシャル・ネットワーキング・サービス提供手段では、それら会員のユーザー端末を利用して特定の会員からサーバに女性の美に関する各種の知識またはノウハウの投稿があった場合、サーバがそれら会員のユーザー端末に対し、投稿された知識またはノウハウを配信する。
【００２０】
本発明の他の一例として、ソーシャル・ネットワーキング・サービス提供手段では、それら会員のユーザー端末を利用して特定の会員からサーバに女性の美に関する各種の有益な知識または有益なノウハウの投稿があった場合、その知識またはそのノウハウを投稿した会員のユーザー端末にポイントを付与し、知識またはノウハウを投稿した会員がそのポイントを利用して商品を購入し、または、サービスの提供を受ける。
【００２１】
本発明の他の一例としては、サーバが、会員のユーザー端末へのソーシャル・ネットワーキング・サービス（ＳＮＳ）の提供中に、オンライン・ツー・オフライン（Ｏ２Ｏ）として公開される女性の美に関するコンテンツにつながるリンクをユーザー端末に表示するリンク表示手段を含む。
【発明の効果】
【００２２】
本発明にかかる女性向けＳＮＳ提供システムによれば、女性を対象とした美に関する各種複数の女性向けコンテンツをオンライン・ツー・オフライン（Ｏ２Ｏ）としてインターネットに公開し、公開されたそれら女性向けコンテンツにアクセスした不特定多数のインターネット女性ユーザーの中から希望するユーザーを会員として登録し、特定多数の会員のユーザー端末を利用して各会員に対し、それらソーシャル・ネットワーキング・サービスを提供するから、オンライン・ツー・オフライン（Ｏ２Ｏ）を利用して不特定多数のインターネットユーザーに女性の美に関する各種複数の女性向けコンテンツを広く伝達することができ、それらインターネットユーザーを不特定多数にオープンされたオンライン・ツー・オフラインから女性の美に関する詳細かつ有益な情報を提供するクローズされた各種のソーシャル・ネットワーキング・サービス（ＳＮＳ）へ移行させることができる。女性向けＳＮＳ提供システムは、ソーシャル・ネットワーキング・サービスを利用して各会員に女性の美に関する各種の有益な情報を提供することができ、各会員が女性の美に関する詳細かつ有益な情報を取得することができる。
【００２３】
ソーシャル・ネットワーキング・サービス提供手段において、サーバがそれら会員のユーザー端末を利用して各会員に対し、女性の美に関する商品またはサービスを対象としたインターネット電子商取引（ｅコマース）を行う女性向けＳＮＳ提供システムは、女性の美に関する各種複数の商品または各種複数のサービスを対象としたインターネット電子商取引をソーシャル・ネットワーキング・サービス（ＳＮＳ）を介して行うから、ソーシャル・ネットワーキング・サービスを利用して各会員に女性の美に関する詳細かつ有益な商品やサービスの情報を提供することができ、各会員が女性の美に関する詳細かつ有益な商品やサービスの情報を取得することができる。女性向けＳＮＳ提供システムは、女性の美に関する有益な商品やサービスの情報が各会員だけに提供されるから、女性の美に関する有益な商品を各会員だけが購入することができるとともに、女性の美に関する有益なサービスの提供を各会員だけが受けることができる。
【００２４】
ソーシャル・ネットワーキング・サービス提供手段において、サーバがそれら会員のユーザー端末に対し、女性の美に関する商品またはサービスを対象としたインターネット電子商取引を行うために独自に構築したウェブサイト（ＥＣサイト）を配信する女性向けＳＮＳ提供システムは、女性の美に関する各種複数の商品または各種複数のサービスを対象としたインターネット電子商取引を行うためのウェブサイト（ＥＣサイト）を各会員に配信するから、ソーシャル・ネットワーキング・サービスにおけるウェブサイト（ＥＣサイト）を利用して各会員に女性の美に関する詳細かつ有益な商品やサービスの情報を提供することができ、各会員が女性の美に関する詳細かつ有益な商品やサービスの情報を取得することができる。女性向けＳＮＳ提供システムは、女性の美に関する有益な商品やサービスの情報がウェブサイト（ＥＣサイト）から各会員だけに提供されるから、ウェブサイト（ＥＣサイト）を介して女性の美に関する有益な商品を各会員だけが購入することができるとともに、ウェブサイト（ＥＣサイト）を介して女性の美に関する有益なサービスの提供を各会員だけが受けることができる。
【００２５】
ソーシャル・ネットワーキング・サービス提供手段において、サーバがそれら会員のユーザー端末を利用して各会員に対し、女性の美に関する商品またはサービスを対象としたインターネット広告を配信する女性向けＳＮＳ提供システムは、女性の美に関する各種複数の商品または各種複数のサービスを対象としたインターネット広告を各会員に配信するから、ソーシャル・ネットワーキング・サービスにおけるウェブサイトやメールを利用して各会員に女性の美に関する詳細かつ有益な商品やサービスの情報を提供することができ、各会員が女性の美に関する詳細かつ有益な商品やサービスの情報を取得することができる。女性向けＳＮＳ提供システムは、女性の美に関する有益な商品やサービスの情報がインターネット広告を利用して各会員だけに提供されるから、インターネット広告を介して女性の美に関する有益な商品を各会員だけが購入することができるとともに、インターネット広告を介して女性の美に関する有益なサービスの提供を各会員だけが受けることができる。
【００２６】
ソーシャル・ネットワーキング・サービス提供手段において、サーバがそれら会員のユーザー端末を利用して各会員に対し、女性の美の向上に関する各種の講座、講習、資格試験を対象としたｅラーニングを実施する女性向けＳＮＳ提供システムは、各会員が希望する女性の美の向上に関する各種の講座、講習、資格試験がソーシャル・ネットワーキング・サービスを利用したｅラーニングとして実施されるから、ソーシャル・ネットワーキング・サービスを介して各会員が各種の講座、講習、資格試験対策の中から希望のそれを受講することができ、その講座、講習、資格試験対策を受講することで美の向上に関する各種の知識を取得することができる。
【００２７】
ソーシャル・ネットワーキング・サービス提供手段において、ｅラーニングによって特定の講座、講習、資格試験を終了した会員に修了証を発行するとともに、その修了証を保持する会員をその講座、講習、資格のキャリアとして登録し、キャリアとして登録された会員に対し、その講座、講習、資格に関係する商品またはサービスを割引して提供する女性向けＳＮＳ提供システムは、所定の講座、講習、資格試験を受講することで、その講座、講習、資格試験にかかる美の向上に関する各種の知識を取得することができるとともに、その講座、講習、資格対策に関係する商品を売価からディスカウントした割安の価格で購入することができ、その講座、講習、資格対策に関係するサービスの提供を売価からディスカウントした割安の価格で受けることができる。
【００２８】
ソーシャル・ネットワーキング・サービス提供手段において、サーバがそれら会員のユーザー端末を利用し、所定の会員が講座、講習、資格試験に関する知識の教授を希望する場合、講座、講習、資格試験に関する知識の教授を希望する会員とその講座、講習、資格のキャリアとして登録された会員とのマッチングを行う女性向けＳＮＳ提供システムは、キャリアとして登録された会員と美の向上に関する知識の教授を希望する会員とをマッチングさせることで、多数の会員がキャリアの会員から美の向上に関する知識を取得することができ、女性の美を専門とする女性向けのソーシャル・ネットワーキング・サービスを構築することができる。
【００２９】
ソーシャル・ネットワーキング・サービス提供手段において、サーバがそれら会員のユーザー端末を利用して各会員に対し、女性の美に関する商品を販売するプロフェッショナルの各種複数の女性向けコンテンツまたは女性の美に関するサービスを提供するプロフェッショナルの各種複数の女性向けコンテンツを提供する女性向けＳＮＳ提供システムは、女性の美に関する各種複数の商品を販売するプロフェッショナルの各種複数の女性向けコンテンツや女性の美に関する各種複数のサービスを提供するプロフェッショナルの各種複数の女性向けコンテンツがソーシャル・ネットワーキング・サービス（ＳＮＳ）を介して提供されるから、ソーシャル・ネットワーキング・サービスを利用して各会員に女性の美に関するプロフェッショナルの詳細かつ有益な商品やサービスに関する情報を提供することができ、各会員が女性の美に関するプロフェッショナルの詳細かつ有益な商品やサービスに関する情報を取得することができる。女性向けＳＮＳ提供システムは、女性の美に関するプロフェッショナルの有益な商品やサービスの情報が各会員だけに提供されるから、プロフェッショナルが販売する女性の美に関する商品を各会員だけが購入することができるとともに、プロフェッショナルが提供する女性の美に関するサービスを各会員だけが受けることができる。
【００３０】
ソーシャル・ネットワーキング・サービス提供手段において、サーバがそれら会員のユーザー端末を利用して各会員に対し、女性のブライダルに関する商品を販売するプロフェッショナルの各種複数の女性向けコンテンツまたは女性のブライダルに関するサービスを提供するプロフェッショナルの各種複数の女性向けコンテンツを提供する女性向けＳＮＳ提供システムは、女性のブライダルに関する各種複数の商品を販売するプロフェッショナルの各種複数の女性向けコンテンツや女性のブライダルに関する各種複数のサービスを提供するプロフェッショナルの各種複数の女性向けコンテンツがソーシャル・ネットワーキング・サービス（ＳＮＳ）を介して提供されるから、ソーシャル・ネットワーキング・サービスを利用して各会員に女性のブライダルに関するプロフェッショナルの詳細かつ有益な商品やサービスに関する情報を提供することができ、各会員が女性のブライダルに関するプロフェッショナルの詳細かつ有益な商品やサービスに関する情報を取得することができる。女性向けＳＮＳ提供システムは、女性のブライダルに関するプロフェッショナルの有益な商品やサービスの情報が各会員だけに提供されるから、プロフェッショナルが販売する女性のブライダルに関する商品を各会員だけが購入することができるとともに、プロフェッショナルが提供する女性のブライダルに関するサービスを各会員だけが受けることができる。
【００３１】
ソーシャル・ネットワーキング・サービス提供手段において、サーバがそれら会員のユーザー端末を利用し、所定の会員が女性の美に関する所定の知識の教授を希望する場合、知識の教授を希望する会員とその知識を専門とするプロフェッショナルとのマッチングを行う女性向けＳＮＳ提供システムは、女性の美に関する所定の知識を有するプロフェッショナルと美の向上に関する知識の教授を希望する会員とをマッチングさせることで、多数の会員がプロフェッショナルから美の向上に関する知識やノウハウを取得することができ、プロフェッショナルを交えた女性の美を専門とする女性向けのソーシャル・ネットワーキング・サービスを構築することができる。
【００３２】
ソーシャル・ネットワーキング・サービス提供手段において、特定の会員が女性の美に関する商品またはサービスを対象としたビジネスを立ち上げた場合、サーバがそれら会員のユーザー端末を利用し、ビジネスを立ち上げた特定の会員と他の会員との間において、特定の会員の商品またはサービスを対象としたインターネット電子商取引（ｅコマース）を行う女性向けＳＮＳ提供システムは、特定の会員がこのシステムにおいて起業した場合、その会員の女性の美に関する各種複数の商品または各種複数のサービスを対象としたインターネット電子商取引をソーシャル・ネットワーキング・サービス（ＳＮＳ）を介して行うことができ、起業した会員からソーシャル・ネットワーキング・サービスを利用して女性の美に関する詳細かつ有益な商品やサービスの情報を各会員に提供することができるとともに、各会員が女性の美に関する詳細かつ有益な商品やサービスの情報を取得することができる。女性向けＳＮＳ提供システムは、起業した会員から女性の美に関する有益な商品やサービスの情報が各会員だけに提供されるから、起業した会員から女性の美に関する有益な商品を各会員だけが購入することができるとともに、起業した会員から女性の美に関する有益なサービスの提供を各会員だけが受けることができる。
【００３３】
ソーシャル・ネットワーキング・サービス提供手段において、特定の会員が女性の美に関する商品またはサービスを対象としたインターネット電子商取引を行うためのウェブサイト（ＥＣサイト）を独自に構築した場合、サーバがそれら会員のユーザー端末を利用してそのウェブサイトを他の会員に配信する女性向けＳＮＳ提供システムは、特定の会員がこのシステムにおいて起業した場合、その会員の女性の美に関する各種複数の商品または各種複数のサービスを対象としたインターネット電子商取引を行うためのウェブサイト（ＥＣサイト）を各会員に配信することができ、起業した会員からソーシャル・ネットワーキング・サービスにおけるウェブサイト（ＥＣサイト）を利用して女性の美に関する詳細かつ有益な商品やサービスの情報を各会員に提供することができるとともに、各会員が女性の美に関する詳細かつ有益な商品やサービスの情報を取得することができる。女性向けＳＮＳ提供システムは、起業した会員から女性の美に関する有益な商品やサービスの情報がウェブサイト（ＥＣサイト）から各会員だけに提供されるから、起業した会員からウェブサイト（ＥＣサイト）を介して女性の美に関する有益な商品を各会員だけが購入することができるとともに、起業した会員からウェブサイト（ＥＣサイト）を介して女性の美に関する有益なサービスの提供を各会員だけが受けることができる。
【００３４】
ソーシャル・ネットワーキング・サービス提供手段において、特定の会員が女性の美に関する商品またはサービスを対象としたビジネスを立ち上げた場合、サーバがそれら会員のユーザー端末を利用し、ビジネスを立ち上げた特定の会員の商品またはサービスに関するインターネット広告を他の会員に配信する女性向けＳＮＳ提供システムは、特定の会員がこのシステムにおいて起業した場合、その会員の女性の美に関する各種複数の商品または各種複数のサービスを対象としたインターネット広告を各会員に配信することができ、ソーシャル・ネットワーキング・サービスにおけるウェブサイトやメールを利用して起業した会員から女性の美に関する詳細かつ有益な商品やサービスの情報を各会員に提供することができるとともに、各会員が女性の美に関する詳細かつ有益な商品やサービスの情報を取得することができる。女性向けＳＮＳ提供システムは、起業した会員から女性の美に関する有益な商品やサービスの情報がインターネット広告を利用して各会員だけに提供されるから、起業した会員からインターネット広告を介して女性の美に関する有益な商品を各会員だけが購入することができるとともに、起業した会員からインターネット広告を介して女性の美に関する有益なサービスの提供を各会員だけが受けることができる。
【００３５】
ソーシャル・ネットワーキング・サービス提供手段において、それら会員のユーザー端末を利用して特定の会員からサーバに女性の美に関する各種の知識またはノウハウの投稿があった場合、サーバがそれら会員のユーザー端末に対し、投稿された知識またはノウハウを配信する女性向けＳＮＳ提供システムは、特定の会員がユーザー端末からサーバに女性の美に関する各種の知識またはノウハウの投稿し、サーバがそれら知識やノウハウを他の会員のユーザー端末に配信することで、女性の美に関する有益な知識やノウハウを各会員に提供することができ、各会員が女性の美に関する有益な知識やノウハウを取得することができる。女性向けＳＮＳ提供システムは、女性の美に関する知識やノウハウをソーシャルネットワークを介して特定多数の会員に配信することができるから、構築したソーシャル・ネットワーキング・サービスにおいて女性の美に対する専門性を向上させることができ、女性の美を専門とする女性向けのソーシャル・ネットワーキング・サービスを構築することができる。
【００３６】
ソーシャル・ネットワーキング・サービス提供手段において、それら会員のユーザー端末を利用して特定の会員からサーバに女性の美に関する各種の有益な知識または有益なノウハウの投稿があった場合、その知識またはそのノウハウを投稿した会員のユーザー端末にポイントを付与し、知識またはノウハウを投稿した会員がそのポイントを利用して商品を購入し、または、サービスの提供を受ける女性向けＳＮＳ提供システムは、会員がこのシステムにおけるソーシャル・ネットワーキング・サービスにおいて女性の美に関する有益な知識または有益なノウハウをサーバに投稿した場合、その会員にポイントを付与し、その会員がポイントを使用して商品を購入し、または、サービスの提供を受けることができるから、各会員に多くの有益な知識やノウハウを投稿させることができ、ポイントを利用することで商品やサービスの売買の促進を図ることができるとともに、構築したソーシャル・ネットワーキング・サービスにおいて女性の美に対する専門性を向上させることができる。
【００３７】
会員のユーザー端末へのソーシャル・ネットワーキング・サービス（ＳＮＳ）の提供中に、オンライン・ツー・オフライン（Ｏ２Ｏ）として公開される女性の美に関するコンテンツにつながるリンクをユーザー端末に表示するリンク表示手段を含む女性向けＳＮＳ提供システムは、ソーシャル・ネットワーキング・サービスを受信中のユーザー端末からリンクを利用してオンライン・ツー・オフラインに移行することができ、各会員がオンライン・ツー・オフラインによるサービスを即座に受けることができる。
【図面の簡単な説明】
【００３８】
【図１】一例として示す女性向けＳＮＳ提供システムの構成概念図。
【図２】会員登録前のコンセプトトップ画面の一例を示す図。
【図３】図２から続くコンテンツ選択ページ画面の一例を示す図。
【図４】会員登録画面の一例を示す図。
【図５】図４から続く会員登録画面の一例を示す図。
【図６】コンセプトトップ画面の一例を示す図。
【図７】図６から続くＳＮＳ選択画面の一例を示す図。
【図８】ネットショップ画面の一例を示す図。
【図９】ＥＣサイト画面の一例を示す図。
【図１０】インターネット広告画面の一例を示す図。
【図１１】ｅラーニング画面の一例を示す図。
【図１２】修了証画面の一例を示す図。
【図１３】プロフェッショナルコンセプト画面の一例を示す図。
【図１４】プロコンテンツ画面の一例を示す図。
【図１５】プロフェッショナル表示画面の一例を示す図。
【図１６】ブライダル画面の一例を示す図。
【図１７】投稿画面の一例を示す図。
【図１８】マッチング画面の一例を示す図。
【図１９】キャリアマッチング画面の一例を示す図。
【図２０】プロマッチング画面の一例を示す図。
【発明を実施するための形態】
【００３９】
一例として示す女性向けＳＮＳ提供システム１０の構成概念図である図１等の添付の図面を参照し、本発明に係る女性向けＳＮＳ提供システムの詳細を説明すると、以下のとおりである。女性向けＳＮＳ提供システム１０は、オンライン・ツー・オフライン（Ｏ２Ｏ）を利用して不特定多数のインターネットユーザーに女性を対象とした美に関する各種複数の女性向けコンテンツ（ユーザーが鑑賞するひとまとまりの美に関する情報であり、映像や画像、音楽、文章、またはそれらの組み合わせ）を提供するとともに、登録した会員に女性の美に関する各種のソーシャル・ネットワーキング・サービス（ＳＮＳ）を提供する。女性の美に関する女性向けコンテンツ（コンセプト）には、美容、美学、美食、美肌、美髪、美服、美粧、美装等の美に関するあらゆるコンテンツが含まれる。
【００４０】
女性向けＳＮＳ提供システム１０は、サーバ１１と、不特定多数のインターネットユーザー（図示せず）が保有する各種複数のユーザー端末と、特定多数のプロアドバイザー（図示せず）が保有する各種複数のアドバイザー端末とから形成されている。ユーザー端末には、図１に示すように、ノートパソコン１２Ａやスマートフォン１２Ｂ、タブレット１２Ｃ、携帯電話１２Ｄ等がある。アドバイザー端末には、ノートパソコン１３Ａやスマートフォン１３Ｂ、タブレット１３Ｃ、携帯電話１３Ｄ等がある。
【００４１】
なお、図１では、ノートパソコン１２Ａ，１３Ａ、スマートフォン１２Ｂ，１３Ｂ、タブレット１２Ｃ，１３Ｃ、携帯電話１２Ｄ，１３Ｄを１台のみ図示しているが、実際には複数台のノートパソコン１２Ａ，１３Ａ、スマートフォン１２Ｂ，１３Ｂ、タブレット１２Ｃ，１３Ｃ、携帯電話１２Ｄ，１３Ｄによってこのシステム１０が形成される。また、図１では、１台の物理的なサーバ１１を図示しているが、サイバー空間（クラウド）に存在する仮想サーバ（バーチャルマシン）がこのシステム１０を形成する場合があり、複数台の物理的なサーバや複数台の仮想サーバがこのシステム１０を形成する場合がある。
【００４２】
サーバ１１は、このシステム１０を運営する企業が契約するデータセンターに設置または仮想されているが、その企業内に設置される場合もある。サーバ１１は、中央処理装置（ＣＰＵまたはＭＰＵ）とメインメモリおよびキャッシュメモリとを有して独立したオペレーティングシステム（ＯＳ）によって動作する物理的なコンピュータまたは仮想されたバーチャルコンピュータであり、物理的な大容量ハードディスクまたは仮想された大容量ハードディスクを実装している。なお、図示はしていないが、サーバ１１には、キーボードやマウス等の入力装置、ディスプレイやプリンタ等の出力装置がインターフェイスを介して接続されている。
【００４３】
サーバ１１は、ＨＴＴＰに即してクライアントソフトウェアのウェブブラウザに対し、ＨＴＭＬやオブジェクトの表示を提供するホームページ公開のためのＷｅｂサーバ機能、アプリケーションソフトウェアの実行を運用、管理するアプリケーションサーバ機能、電子メールの送受信を運用、管理するメールサーバ機能、データベースを構築するために必要なデータをデータベース管理システム(DBMS)によって運用、管理し、他のコンピュータや他のサーバからの要求を受け付けて各種データを読み書きする機能を提供するデータベースサーバ機能、ＦＴＰを利用してファイルの送受信を行う機能を提供するＦＴＰサーバ機能、Domain Name Systemによってホストの識別子（ホスト名）を利用者が理解し易い形式（ドメイン名）とコンピュータが理解し易い形式（ＩＰアドレス）とに対応付ける（ホスト名とそのホスト名に割り当てるＩＰアドレスとの対応付けを設定する）ＤＮＳサーバ機能、内部ネットワークからインターネット接続を行う際に高速なアクセスや安全な通信を確保する機能を提供するプロキシサーバ機能、ＳＳＨサーバ機能、ＲＤＰサーバ機能を有する。
【００４４】
サーバ１１は、インターネット１４に接続された各種複数のＤＮＳサーバ等を経由しつつ、インターネット１４を利用して不特定多数のサーバ（物理サーバや仮想サーバ）にアクセスかつログインすることができ、インターネット１４において各種の検索エンジンを利用することができる。サーバ１１は、インターネット１４を利用して不特定多数または特定多数のノートパソコン１２Ａ，１３Ａやスマートフォン１２Ｂ，１３Ｂ、タブレット１２Ｃ，１３Ｃ、携帯電話１２Ｄ，１３Ｄに所定の情報を送信することができるとともに、インターネット１４を利用してノートパソコン１２Ａ，１３Ａやスマートフォン１２Ｂ，１３Ｂ、タブレット１２Ｃ，１３Ｃ、携帯電話１２Ｄ，１３Ｄから所定の情報を受信することができる。
【００４５】
サーバ１１のハードディスクには、ノートパソコン１２Ａ，１３Ａやスマートフォン１２Ｂ，１３Ｂ、タブレット１２Ｃ，１３Ｃ、携帯電話１２Ｄ，１３Ｄにインストールするソーシャル・ネットワーキング・サービス（ＳＮＳ）アプリケーションが記憶されている。サーバ１１のハードディスクには、会員登録をしたインターネットユーザーのノートパソコン１２Ａやスマートフォン１２Ｂ、タブレット１２Ｃ、携帯電話１２Ｄの端末特定情報（ＩＰアドレスやＭＡＣアドレス、Ｃｏｏｋｉｅ情報、固体識別番号）やＵＲＬ、ユーザー情報（ログインＩＤ番号、パスワード、会員登録番号、ユーザー名（法人名（代表者名を含む）、個人名）、住所（法人住所、個人住所）、電話番号、ＦＡＸ番号、メールアドレス、性別、年齢、趣味、嗜好、コンセプト、写真等）が記憶されている。
【００４６】
サーバ１１のハードディスクには、プロアドバイザーのノートパソコン１３Ａやスマートフォン１３Ｂ、タブレット１３Ｃ、携帯電話１３Ｄの端末特定情報（ＩＰアドレスやＭＡＣアドレス、Ｃｏｏｋｉｅ情報、固体識別番号）やＵＲＬ、アドバイザー情報（ログインＩＤ番号、パスワード、アドバイザー登録番号、アドバイザー名（法人名（代表者名を含む）、個人名、住所（法人住所、個人住所）、電話番号、ＦＡＸ番号、メールアドレス、専門分野（コンセプト）、プロフィール、写真等）が記憶されている。
【００４７】
サーバ１１の中央処理装置は、オペレーティングシステムによる制御に基づいて、メモリに記憶された各アプリケーションを起動し、起動したアプリケーションに従って以下の各手段を実行する。サーバ１１の中央処理装置は、女性を対象とした美に関する各種複数の女性向けコンテンツをオンライン・ツー・オフライン（Ｏ２Ｏ）としてインターネット１４に公開するコンテンツ公開手段を実行し、オンライン・ツー・オフライン（Ｏ２Ｏ）を介してそれら女性向けコンテンツをノートパソコン１２Ａ，１３Ａやスマートフォン１２Ｂ，１３Ｂ、タブレット１２Ｃ，１３Ｃ、携帯電話１２Ｄ，１３Ｄ（ユーザー端末やアドバイザー端末）に配信するコンテンツ配信手段を実行する。サーバ１１の中央処理装置は、女性の美に関する各種のソーシャル・ネットワーキング・サービス（ＳＮＳ）を提供するためのソーシャルネットワークを構築するソーシャルネットワーク構築手段を実行する。
【００４８】
サーバ１１の中央処理装置は、ノートパソコン１２Ａやスマートフォン１２Ｂ、タブレット１２Ｃ、携帯電話１２Ｄ（ユーザー端末）を利用し、コンテンツ公開手段によって公開されたそれら女性向けコンテンツにアクセスした不特定多数のインターネットユーザーの中から希望するユーザーを会員として登録する会員登録手段を実行する。サーバ１１の中央処理装置は、サーバ１１は、講座や講習、資格に関するｅラーニングを修了した会員をその講座や講習、資格のキャリアとして登録するキャリア登録手段を実行する。
【００４９】
サーバ１１の中央処理装置は、会員登録した特定多数の会員のノートパソコン１２Ａやスマートフォン１２Ｂ、タブレット１２Ｃ、携帯電話１２Ｄ（ユーザー端末）にソーシャル・ネットワーキング・サービス（ＳＮＳ）アプリケーションをインストールするＳＮＳアプリケーションインストール手段を実行し、特定多数のプロアドバイザーのノートパソコン１３Ａやスマートフォン１３Ｂ、タブレット１３Ｃ、携帯電話１３Ｄ（アドバイザー端末）にソーシャル・ネットワーキング・サービス（ＳＮＳ）アプリケーションをインストールするＳＮＳアプリケーションインストール手段を実行する。
【００５０】
サーバ１１の中央処理装置は、会員登録をした会員のノートパソコン１２Ａやスマートフォン１２Ｂ、タブレット１２Ｃ、携帯電話１２Ｄ（ユーザー端末）を利用して各会員に対し、ソーシャルネットワーク構築手段によって構築したそれらソーシャル・ネットワーキング・サービスを提供するソーシャル・ネットワーキング・サービス提供手段を実行し、プロアドバイザーのノートパソコン１３Ａやスマートフォン１３Ｂ、タブレット１３Ｃ、携帯電話１３Ｄ（アドバイザー端末）を利用して各プロアドバイザーに対し、ソーシャルネットワーク構築手段によって構築したそれらソーシャル・ネットワーキング・サービスを提供するソーシャル・ネットワーキング・サービス提供手段を実行する。
【００５１】
サーバ１１の中央処理装置は、登録した会員またはプロアドバイザーのノートパソコン１２Ａ，１３Ａやスマートフォン１２Ｂ，１３Ｂ、タブレット１２Ｃ，１３Ｃ、携帯電話１２Ｄ，１３Ｄ（ユーザー端末やアドバイザー端末）へのソーシャル・ネットワーキング・サービス（ＳＮＳ）の提供中に、オンライン・ツー・オフライン（Ｏ２Ｏ）として公開される女性の美に関するコンテンツにつながる各種複数のリンクをノートパソコン１２Ａ，１３Ａやスマートフォン１２Ｂ，１３Ｂ、タブレット１２Ｃ，１３Ｃ、携帯電話１２Ｄ，１３Ｄ（ユーザー端末やアドバイザー端末）に表示するリンク表示手段を実行する。
【００５２】
ノートパソコン１２Ａ，１３Ａやスマートフォン１２Ｂ，１３Ｂ、タブレット１２Ｃ，１３Ｃ、携帯電話１２Ｄ，１３Ｄは、それぞれ機種が異なるとともに、それらを提供・販売するキャリア（メーカー）が異なる。ノートパソコン１２Ａ，１３Ａは、中央処理部（ＣＰＵまたはＭＰＵ）とメインメモリおよびキャッシュメモリとを有するとともに、大容量ハードディスクを内蔵し、独立したオペレーティングシステム（ＯＳ）によって動作する。スマートフォン１２Ｂ，１３Ｂやタブレット１２Ｃ，１３Ｃ、携帯電話１２Ｄ，１３Ｄは、中央処理部（ＣＰＵまたはＭＰＵ）とメインメモリおよびキャッシュメモリとを有して独立したオペレーティングシステム（ＯＳ）によって動作する物理的なコンピュータを内蔵し、半導体メモリを実装している。
【００５３】
ノートパソコン１２Ａ，１３Ａのハードディスクには、ウェブブラウザおよびサーバ１１のＵＲＬが記憶されている。スマートフォン１２Ｂ，１３Ｂやタブレット１２Ｃ，１３Ｃ、携帯電話１２Ｄ，１３Ｄのメインメモリには、ウェブブラウザが記憶されている。スマートフォン１２Ｂ，１３Ｂやタブレット１２Ｃ，１３Ｃ、携帯電話１２Ｄ，１３Ｄの半導体メモリには、サーバ１１のＵＲＬが記憶されている。ノートパソコン１２Ａ，１３Ａやスマートフォン１２Ｂ，１３Ｂ、タブレット１２Ｃ，１３Ｃ、携帯電話１２Ｄ，１３Ｄは、ウェブブラウザを利用してインターネット１４に接続可能であり、インターネット１４を介して不特定多数のサーバ（物理サーバや仮想サーバ）にアクセスかつログインすることができ、インターネット１４を介して不特定多数の他のパソコンやスマートフォン、タブレット、携帯電話等にアクセスすることができるとともに、インターネット１４を介して各種の検索エンジンを利用することができる。
【００５４】
会員登録後のインターネットユーザーが保有するノートパソコン１２Ａやスマートフォン１２Ｂ、タブレット１２Ｃ、携帯電話１２Ｄのメモリや半導体メモリには、サーバ１１から提供されたソーシャル・ネットワーキング・サービス（ＳＮＳ）アプリケーションがインストールされている。プロアドバイザーのノートパソコン１３Ａやスマートフォン１３Ｂ、タブレット１３Ｃ、携帯電話１３Ｄには、サーバ１１から提供されたソーシャル・ネットワーキング・サービス（ＳＮＳ）アプリケーションがインストールされている。
【００５５】
ノートパソコン１２Ａ，１３Ａやスマートフォン１２Ｂ，１３Ｂ、タブレット１２Ｃ，１３Ｃ、携帯電話１２Ｄ，１３Ｄは、インターネット１４を介してオンライン・ツー・オフライン（Ｏ２Ｏ）から各種複数の情報（女性を対象とした美に関する各種複数の女性向けコンテンツ）をサーバ１１から受信することができ、インターネット１４を介してサーバ１１から各種のソーシャル・ネットワーキング・サービス（ＳＮＳ）の提供を受けることができるとともに、各種複数の情報をサーバ１１に送信することができる。
【００５６】
図２は、会員登録前のコンセプトトップ画面の一例を示す図であり、図３は、図２から続くコンテンツ選択ページ画面の一例を示す図である。図４は、会員登録画面の一例を示す図であり、図５は、図４から続く会員登録画面の一例を示す図である。なお、システム１０においてサーバ１１は、女性を対象とした美に関する各種複数の女性向けコンテンツをオンライン・ツー・オフライン（Ｏ２Ｏ）としてインターネット１４に公開している（コンテンツ公開手段）。さらに、サーバ１１は、女性の美に関する各種のソーシャル・ネットワーキング・サービス（ＳＮＳ）を会員に提供するためのソーシャルネットワークを構築している（ソーシャルネットワーク構築手段）。
【００５７】
会員登録前の各インターネットユーザーは、保有するパソコン１２Ａやスマートフォン１２Ｂ、タブレット１２Ｃ、携帯電話１２Ｄ（以下、ユーザー端末１２Ａ〜１２Ｄ）を利用してインターネット１４に接続し、サーバ１１のＵＲＬを使用してサーバ１１にログインする（リンクや検索エンジンを使用してサーバ１１にログインする場合を含む）。ユーザー端末１２Ａ〜１２Ｄがサーバ１１にログインすると、それらユーザー端末１２Ａ〜１２Ｄのディスプレイ１５には、図２に示すサーバ１１が提供するオンライン・ツー・オフライン（Ｏ２Ｏ）のコンセプトトップ画面（初期画面）が表示される。コンセプトトップ画面には、タイトル（女性伸の美、すべての女性に美と勇気を）とともに、女性の美に関するコンセプト表示エリア２ａ、閉じるボタン６ｂが表示される。コンセプト表示エリア２ａには、コンセプトとして、０１美容、０２美学、０３美食、０４美肌、０５美髪、０６美服が表示される。
【００５８】
なお、コンセプトは図示のそれらに限定されず、女性を対象とした美に関するあらゆるコンセプトが含まれる。閉じるボタン２ｂをクリックすると、ユーザー端末１２Ａ〜１２Ｄがサーバ１１からログアウトする。インターネットユーザーがそれらコンセプトから所定のそれを選択すると、サーバ１１は、オンライン・ツー・オフライン（Ｏ２Ｏ）を介し、プロフェッショナル（専門家、知識人、学者、医者等）が作成した女性の美に関する各種複数の女性向けコンテンツをユーザー端末１２Ａ〜１２Ｄに配信する（コンテンツ配信手段）。
【００５９】
図２のコンセプトトップ画面のコンセプト表示エリア２ａに表示されたコンセプトの中から０１美容が選択されたものとする。０１美容を選択（クリック）すると、女性の美容に関するコンテンツ（女性向けコンテンツ）のプルダウンリスト２ｃがユーザー端末１２Ａ〜１２Ｄのディスプレイ１５に表示される。美容に関するコンテンツのプルダウンリスト２ｃには、メイク、スキンケア、ヘアケア、ボディケア、エステ、ダイエット、美容法等が表示される。なお、美容に関するコンテンツは図示のそれらに限定されず、女性の美容に関する他のあらゆるコンテンツが含まれる。コンセプト表示エリア２ａに表示された美容以外の他のコンセプトを選択（クリック）すると、選択したコンセプトの各種コンテンツを表示したプルダウンリスト２ｃがディスプレイ１５に表示される。
【００６０】
図２のプルダウンリスト２ｃに表示されたコンテンツの中から美容法が選択されたものとする。美容法を選択（クリック）すると、ユーザー端末１２Ａ〜１２Ｄのディスプレイ１５には、図３に示すコンテンツ選択画面が表示される。コンテンツ選択画面には、女性の美容法に関するコンテンツ（女性向けコンテンツ）のプルダウンリスト３ａ、戻るボタン３ｂ、閉じるボタン３ｃ、会員登録ボタン３ｂが表示される。戻るボタン３ｂをクリックすると、図２のコンセプトトップ画面に戻り、閉じるボタン３ｃをクリックすると、ユーザー端末１２Ａ〜１２Ｄがサーバ１１からログアウトする。
【００６１】
美容法に関するコンテンツのプルダウンリスト３ａには、美容法に関する各種に分類されたコンテンツメニューが表示される。美容法に関する各種コンテンツメニューとして、１女性のルックス対策、２女性のメイク方法、３女性の顔マッサージ、４女性の毛穴対策、５女性のヒップアップ、６女性のバストアップ、７女性の仮称品対策、８女性のアンチエイジング、９女性の食事法、１０女性のサプリメント等が表示される。なお、美容法に関するコンテンツメニューは図示のそれらに限定されず、女性の美容法に関する他のあらゆるコンテンツメニューが含まれる。プルダウンリスト２ｃに表示された美容法以外の他のコンテンツを選択（クリック）すると、選択したコンテンツに関する各種に分類されたコンテンツメニューが表示される。
【００６２】
インターネットユーザーがプルダウンリスト３ａから所定のコンテンツメニューを選択（クリック）すると、図示はしていないが、選択したコンテンツの詳細な内容を示す階層構造のコンテンツ詳細画面（複数ページを含む）がユーザー端末１２Ａ〜１２Ｄのディスプレイ１５に表示される。なお、コンテンツ詳細画面のそれぞれには、会員登録ボタン３ｂが表示される。ユーザー端末１２Ａ〜１２Ｄを利用してインターネットユーザーがコンテンツ詳細画面を見ることで、オンライン・ツー・オフライン（Ｏ２Ｏ）を利用して不特定多数のインターネットユーザーに女性の美に関する各種複数の女性向けコンテンツが広く伝達され、それらインターネットユーザーが女性の美に対する情報や、知見、知識を取得することができる。
【００６３】
コンテンツ詳細画面を確認したインターネットユーザーが女性の美に対するより高度な情報や知識を得ようと希望する場合、このシステム１０の会員として登録する。なお、システム１０では、女性の美に関する豊富な知識を有するプロフェッショナルがプロアドバイザーとしてあらかじめアドバイザー登録されており、プロアドバイザーのアドバイザー情報（アドバイザー名、住所、電話番号およびＦＡＸ番号、メールアドレス、専門分野（コンセプト）、プロフィール、写真）、端末特定情報、ＵＲＬ、アドバイザー登録番号がログインＩＤ番号およびパスワードに関連付けた状態でサーバ１１のハードディスクに記憶されている。サーバ１１は、プロアドバイザーのノートパソコン１３Ａやスマートフォン１３Ｂ、タブレット１３Ｃ、携帯電話１３Ｄ（以下、アドバイザー端末１３Ａ〜１３Ｄ）にソーシャル・ネットワーキング・サービス（ＳＮＳ）アプリケーションをインストールしている（ＳＮＳアプリケーションインストール手段）。また、サーバ１１は、オンライン・ツー・オフライン（Ｏ２Ｏ）を介してプロアドバイザーのアドバイザー端末１３Ａ〜１３Ｄに対し、女性の美に関する各種複数の女性向けコンテンツを配信する（コンテンツ配信手段）。
【００６４】
インターネットユーザーが会員登録するには、コンテンツ選択画面やコンテンツ詳細画面に表示された会員登録ボタン３ｂをクリックする。会員登録ボタン３ｂをクリックすると、ユーザー端末１２Ａ〜１２Ｄのディスプレイ１５には、図４に示す会員登録画面が表示される。会員登録画面には、ユーザー情報入力エリア４ａ、送信ボタン４ｂ、変更ボタン４ｃ、戻るボタン４ｄ、コンセプト検索エリア４ｅが表示される。ユーザー情報には、ユーザーの名前、ユーザーの住所、電話番号およびＦＡＸ番号、メールアドレス、ユーザーの写真、ユーザーのスリーサイズ、ユーザーの性別、ユーザーの年齢、ユーザーの趣味（複数入力可）、ユーザーの嗜好（複数入力可）、ユーザーのコンセプト（複数入力可）がある。なお、コンセプトが不明の場合、コンセプト検索エリア４ｅにキーワードを入力して希望のコンセプトを検索する。
【００６５】
会員登録するには、ユーザー情報入力エリア４ａに各ユーザー情報を入力した後、送信ボタン４ｂをクリックする。送信ボタン４ｂをクリックすると、図示はしていないが、送信確認画面がディスプレイ１５に表示される。送信確認画面には、入力した各ユーザー情報を表示した利用者情報表示エリア、送信確認ボタン、変更ボタン、キャンセルボタンが表示される。キャンセルボタンをクリックすると、図２のコンセプトトップ画面がディスプレイ１５に表示される。
【００６６】
各ユーザー情報を変更するには、会員登録画面や送信確認画面の変更ボタン４ｃをクリックする。変更ボタン４ｃをクリックすると、図示はしていないが、ユーザー端末１２Ａ〜１２Ｄのディスプレイ１５には、ユーザー情報変更画面が表示される。ユーザー情報変更画面には、ユーザー情報変更エリア、送信ボタン、変更ボタン、キャンセルボタンが表示される。ユーザーは、ユーザー情報変更エリアにあらたなユーザー情報を入力し、送信ボタンをクリックすると、送信確認画面がディスプレイ１５に表示される。送信確認画面を確認した後、送信確認ボタンをクリックする。送信確認ボタンをクリックすると、ユーザー端末１２Ａ〜１２Ｄは、ユーザー情報入力エリア４ａやユーザー情報変更エリアの各ユーザー情報、ユーザー端末１２Ａ〜１２Ｄの端末特定情報、ユーザー端末１２Ａ〜１２ＤのＵＲＬをサーバ１１に送信する。
【００６７】
サーバ１１は、ユーザー端末１２Ａ〜１２Ｄからユーザー情報、端末特定情報、ＵＲＬを受信すると、ユーザー端末１２Ａ〜１２Ｄに対応する会員登録番号を生成するとともに、ユーザー端末１２Ａ〜１２Ｄに対応するユニークなログインＩＤ番号およびパスワードを生成する。サーバ１１は、会員登録をした後、ユーザー端末１２Ａ〜１２Ｄに会員登録情報を送信する。ユーザー端末１２Ａ〜１２Ｄのディスプレイ１５には、図５に示す会員登録画面が表示される。会員登録画面には、会員登録情報表示エリア５ａ、ログインＩＤ番号表示エリア５ｂ、パスワード表示エリア５ｃ、ＯＫボタン５ｄ、キャンセルボタン５ｅが表示される。会員登録情報表示エリア５ａには、会員登録日時、会員登録番号、各ユーザー情報が表示される。
【００６８】
ユーザーが会員登録画面を確認した後、ＯＫボタン５ｄをクリックすると、サーバ１１は、ユーザー情報、端末特定情報、ＵＲＬ、会員登録番号をログインＩＤ番号およびパスワードに関連付けた状態でハードディスクに記憶し、そのユーザー（ユーザー端末１２Ａ〜１２Ｄ）を会員として登録する（会員登録手段）。サーバ１１は、会員登録した後、各会員のユーザー端末１２Ａ〜１２Ｄにソーシャル・ネットワーキング・サービス（ＳＮＳ）アプリケーションをインストールする（ＳＮＳアプリケーションインストール手段）。ユーザー端末１２Ａ〜１２Ｄは、サーバ１１からソーシャル・ネットワーキング・サービス（ＳＮＳ）アプリケーションがダウンロードされると、そのアプリケーションをメモリに記憶する。
【００６９】
図６は、コンセプトトップ画面の一例を示す図であり、図７は、図６から続くＳＮＳ選択画面の一例を示す図である。会員登録したインターネットユーザーやプロアドバイザーは、ユーザー端末１２Ａ〜１２Ｄやアドバイザー端末１３Ａ〜１３Ｄを利用してインターネット１４に接続し、サーバ１１のＵＲＬを使用してサーバ１１にログインする。ユーザー端末１２Ａ〜１２Ｄやアドバイザー端末１３Ａ〜１３Ｄがサーバ１１にログインすると、それらユーザー端末１２Ａ〜１２Ｄやそれらアドバイザー端末１３Ａ〜１３Ｄのディスプレイ１５，１６には、図６に示すオンライン・ツー・オフライン（Ｏ２Ｏ）のコンセプトトップ画面（初期画面）が表示される。コンセプトトップ画面には、タイトル（女性伸の美、すべての女性に美と勇気を）とともに、女性の美に関するコンセプト表示エリア６ａ、ＳＮＳボタン６ｂ、閉じるボタン６ｃが表示される。コンセプト表示エリア６ａには、会員登録時に選択したコンセプトが表示される。
【００７０】
図６のコンセプトトップ画面において、ＳＮＳボタン６ｂをクリックすると、図示はしていないが、ユーザー端末１２Ａ〜１２Ｄやアドバイザー端末１３Ａ〜１３Ｄのディスプレイ１５には、ログイン画面が表示される。ログイン画面には、ログインＩＤ番号入力エリア、パスワード入力エリア、ログインボタン、戻るボタン、キャンセルボタンが表示される。ログインＩＤ番号入力エリアにログインＩＤ番号を入力し、パスワード入力エリアにパスワードを入力した後、ログインボタンをクリックする。ログインＩＤ番号およびパスワードが正しい場合、ユーザー端末１２Ａ〜１２Ｄやアドバイザー端末１３Ａ〜１３Ｄのディスプレイ１５には、図７に示すＳＮＳ選択画面が表示される。
【００７１】
ＳＮＳ選択画面には、ＳＮＳコース表示エリア７ａ、閉じるボタン７ｊが表示される。ＳＮＳコース表示エリア７ａには、美のｅコマース７ｂ、美のＥＣサイト７ｃ、美のｅ広告７ｄ、美のマッチング７ｅ、美の投稿７ｆ、美のプロフェッショナル７ｇ、美のブライダル７ｈ、美のｅラーニング７ｉが表示される。各ユーザーがＳＮＳ表示エリア７ａに表示された各ソーシャル・ネットワーキング・サービスの提供を受けるには、それら各コース７ｂ〜７ｉのうちのいずれかをクリックする。いずれかのそれ７ｂ〜７ｉをクリックすると、サーバ１１は、ユーザー端末１２Ａ〜１２Ｄやアドバイザー端末１３Ａ〜１３Ｄを利用して各会員やプロアドバイザーに対し、ソーシャルネットワーク構築手段によって構築した各コースに対応するソーシャル・ネットワーキング・サービスを提供する（ソーシャル・ネットワーキング・サービス提供手段）。
【００７２】
図８は、ネットショップ画面の一例を示す図である。図７のＳＮＳ選択画面において、美のｅコマース７ｂをクリックすると、サーバ１１は、特定多数の会員やプロアドバイザーにｅコマースをソーシャル・ネットワーキング・サービスとして提供する。会員登録したユーザー端末１２Ａ〜１２Ｄやアドバイザー端末１３Ａ〜１３Ｄのディスプレイ１５，１６には、図８に示すネットショップ画面が表示される。ネットショップ画面には、ユーザーショップ８ａ、プロショップ８ｂ、カテゴリー８ｃ、閉じるボタン８ｄ、ＳＮＳボタン８ｅ、検索エリア８ｆが表示される。閉じるボタン８ｄをクリックすると、ユーザー端末１２Ａ〜１２Ｄやアドバイザー端末１３Ａ〜１３Ｄがサーバ１１からログアウトする。ＳＮＳボタン８ｅをクリックすると、図７のＳＮＳ選択画面に戻る。
【００７３】
図８のネットショップ画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄやアドバイザー端末１３Ａ〜１３Ｄのディスプレイ１５，１６に表示される。システム１０は、ソーシャル・ネットワーキング・サービスを受信中のユーザー端末１２Ａ〜１２Ｄやアドバイザー端末１３Ａ〜１３Ｄを利用してリンクをクリックすることで、ソーシャル・ネットワーキング・サービスからオンライン・ツー・オフラインに移行することができ、各会員やプロアドバイザーがオンライン・ツー・オフラインによるサービスを即座に受けることができる。
【００７４】
このシステム１０のソーシャル・ネットワーキング・サービス（ＳＮＳ）では、女性の美に関する商品またはサービスを対象としたビジネスを立ち上げた（起業した）特定の会員のユーザーショップ（ネットショップ）が開設されている。サーバ１１は、会員のユーザー端末１２Ａ〜１２Ｄやプロアドバイザーのアドバイザー端末１３Ａ〜１３Ｄに各種複数のユーザーショップを表示する（ソーシャル・ネットワーキング・サービス提供手段）。ソーシャル・ネットワーキング・サービス（ＳＮＳ）では、ビジネスを立ち上げた会員と他の会員との間において、または、ビジネスを立ち上げた会員とプロアドバイザーとの間において、会員の商品またはサービスを対象としたインターネット電子商取引（ｅコマース）が行われる。
【００７５】
このシステム１０のソーシャル・ネットワーキング・サービス（ＳＮＳ）では、プロフェッショナルとして登録されたプロアドバイザーのプロショップ（ネットショップ）が開設されている。サーバ１１は、会員のユーザー端末１２Ａ〜１２Ｄやプロアドバイザーのアドバイザー端末１３Ａ〜１３Ｄに各種複数のプロショップを表示する（ソーシャル・ネットワーキング・サービス提供手段）。ソーシャル・ネットワーキング・サービス（ＳＮＳ）では、プロアドバイザーと他の会員との間において、または、プロアドバイザーどうしの間において、プロアドバイザーの女性の美に関する商品またはサービスを対象としたインターネット電子商取引（ｅコマース）が行われる。
【００７６】
システム１０のソーシャル・ネットワーキング・サービス（ＳＮＳ）では、ユーザーショップやプロショップを開設するためのネットショップ開設サイトが用意されており、その開設サイトを利用して会員やプロアドバイザーが独自のネットショップを開設し、開設したネットショップをこのシステム１０のソーシャルネットワークにアップロードすることができる。ソーシャル・ネットワーキング・サービスのネットショップ開設サイトは、プレゼント開催機能やメルマガ配信機能、デリバリー機能、ショッピングモール構築機能、ポイントシステム、アフィリエイト機能、Twitter連動機能等の販促・集客機能を有するとともに、商品・サービス管理機能や商品・サービス一括登録機能、画像登録管理機能、注文管理機能、顧客管理機能、アクセス制限機能、各ショップデータ解析機能等の各種管理機能を有する。
【００７７】
図８のネットショップ画面のユーザーショップ８ａを選択（クリック）すると、ユーザーショップを開設した各会員のユーザー名（またはショップ名）を表示したユーザー名（またはショップ名）プルダウンリスト８ｇがユーザー端末１２Ａ〜１２Ｄやアドバイザー端末１３Ａ〜１３Ｄのディスプレイ１５，１６に表示される。ユーザー名（またはショップ名）プルダウンリスト８ｇから所定のユーザー名やショップ名を選択（クリック）（複数選択可）すると、選択したユーザー名やショップ名に対応したユーザーショップ（図示せず）がディスプレイ１５，１６に表示される。ユーザーショップには、会員が提供する女性の美に関する各種複数の商品またはサービスが展示される。ユーザーショップでは、会員どうしの間において、または、会員とプロアドバイザーとの間において、それら商品やサービスが売買される。商品やサービスの販売は、通常販売、オークション、共同購入、提起購入、予約販売、資料請求等のネットショップにおいて行われる販売方法が採用される。
【００７８】
図８のネットショップ画面のプロショップ８ｂを選択（クリック）すると、プロショップを開設した各プロアドバイザーのプロアドバイザー名（またはショップ名）を表示したプロアドバイザー名（またはショップ名）プルダウンリスト８ｈがユーザー端末１２Ａ〜１２Ｄやアドバイザー端末１３Ａ〜１３Ｄのディスプレイ１５，１６に表示される。プロアドバイザー名（またはショップ名）プルダウンリスト８ｈから所定のプロアドバイザー名やショップ名を選択（クリック）（複数選択可）すると、選択したプロアドバイザー名やショップ名に対応したプロショップ（図示せず）がディスプレイ１５，１６に表示される。プロショップにはプロアドバイザーが提供する女性の美に関する各種複数の商品またはサービスが展示され、プロショップではプロアドバイザーと各会員との間において、または、アドバイザーどうしの間において、それら商品やサービスが売買される。
【００７９】
図８のＳＮＳネットショップ画面のカテゴリー８ｃを選択（クリック）すると、美容、美学、美食、美肌、美髪、美服等の各種カテゴリーを表示したカテゴリープルダウンリスト８ｉがユーザー端末１２Ａ〜１２Ｄやアドバイザー端末１３Ａ〜１３Ｄのディスプレイ１５，１６に表示される。カテゴリープルダウンリスト８ｉから所定のそれを選択（クリック）すると、選択したカテゴリーのコンテンツプルダウンリスト（たとえば、美容を選択した場合、メイク、スキンケア、ヘアケア、ボディケア、エステ、ダイエット、美容法等）がディスプレイ１５，１６に表示される。コンテンツプルダウンリストから所定のそれを選択（クリック）（複数選択可）すると、選択したコンテンツに対応したユーザーショップやプロショップ（図示せず）がディスプレイ１５，１６に表示される。ユーザーショップには、会員またはプロアドバイザーが提供する女性の美に関する各種複数の商品またはサービスがユーザーショップまたはプロショップに展示され、会員どうしの間やプロアドバイザーと各会員との間、プロアドバイザーどうしの間においてそれら商品やサービスが売買される。なお、検索エリア８ｆにキーワードを入力して検索すると、そのキーワードに関連するユーザーショップやプロショップがディスプレイ１５，１６に表示される。
【００８０】
女性向けＳＮＳ提供システム１０は、女性の美に関する各種複数の商品または各種複数のサービスを対象としたインターネット電子商取引（ｅコマース）をソーシャル・ネットワーキング・サービス（ＳＮＳ）を介して行うから、ソーシャル・ネットワーキング・サービスを利用して各会員に女性の美に関する詳細かつ有益な商品やサービスの情報を提供することができ、各会員が女性の美に関する詳細かつ有益な商品やサービスの情報を取得することができる。
【００８１】
女性向けＳＮＳ提供システム１０は、会員がこのシステム１０において起業した場合、その会員の女性の美に関する各種複数の商品または各種複数のサービスを対象としたインターネット電子商取引（ｅコマース）をソーシャル・ネットワーキング・サービス（ＳＮＳ）を介して行うことができ、起業した会員からソーシャル・ネットワーキング・サービスを利用して女性の美に関する詳細かつ有益な商品やサービスの情報を各会員に提供することができるとともに、各会員が女性の美に関する詳細かつ有益な商品やサービスの情報を取得することができる。
【００８２】
女性向けＳＮＳ提供システム１０は、起業した会員やプロアドバイザーから女性の美に関する有益な商品やサービスの情報が各会員だけに提供されるから、起業した会員やプロアドバイザーから女性の美に関する有益な商品を各会員だけが購入することができるとともに、起業した会員やプロアドバイザーから女性の美に関する有益なサービスの提供を各会員だけが受けることができる。
【００８３】
図９は、ＥＣサイト画面の一例を示す図である。図７のＳＮＳ選択画面において、美のＥＣサイト７ｃをクリックすると、サーバ１１は、特定多数の会員にＥＣサイトをソーシャル・ネットワーキング・サービスとして配信する。会員登録したユーザー端末１２Ａ〜１２Ｄやアドバイザー端末１３Ａ〜１３Ｄのディスプレイ１５，１６には、図９に示すＥＣサイト画面が表示される。ＥＣサイト画面には、ユーザーサイト９ａ、専門サイト（プロサイト）９ｂ、カテゴリー９ｃ、閉じるボタン９ｄ、ＳＮＳボタン９ｅ、検索エリア９ｆが表示される。
【００８４】
図９のＥＣサイト画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄやアドバイザー端末１３Ａ〜１３Ｄのディスプレイ１５，１６に表示される。
【００８５】
このシステム１０のソーシャル・ネットワーキング・サービス（ＳＮＳ）では、女性の美に関する商品またはサービスを対象としたビジネスを立ち上げた（起業した）会員がインターネット電子商取引を行うため、その会員が独自に構築したウェブサイト（ＥＣサイト）が開設されている。サーバ１１は、それら会員のユーザー端末１２Ａ〜１２Ｄを利用し、ビジネスを立ち上げた会員から他の会員に対し（ユーザー端末１２Ａ〜１２Ｄに対し）、または、ビジネスを立ち上げた会員からプロアドバイザーに対し（アドバイザー端末１３Ａ〜１３Ｄに対し）、会員の商品またはサービスを対象としたインターネット電子商取引を行うためのウェブサイト（ＥＣサイト）を配信する（ソーシャル・ネットワーキング・サービス提供手段）。ソーシャル・ネットワーキング・サービス（ＳＮＳ）では、サーバ１１によって会員から会員に配信されたウェブサイト（ＥＣサイト）を介して商品またはサービスを対象としたインターネット電子商取引（ｅコマース）が行われる。
【００８６】
このシステム１０のソーシャル・ネットワーキング・サービス（ＳＮＳ）では、プロフェッショナルとして登録されたプロアドバイザーがインターネット電子商取引を行うため、プロアドバイザーが独自に構築したウェブサイト（ＥＣサイト）が開設されている。サーバ１１は、プロアドバイザーから各会員に対し（ユーザー端末１２Ａ〜１２Ｄに対し）、または、プロアドバイザーから他のプロアドバイザーからに対し（アドバイザー端末１３Ａ〜１３Ｄに対し）、プロアドバイザーの女性の美に関する商品またはサービスを対象としたインターネット電子商取引を行うためのウェブサイト（ＥＣサイト）を配信する（ソーシャル・ネットワーキング・サービス提供手段）。ソーシャル・ネットワーキング・サービス（ＳＮＳ）では、サーバ１１によってプロアドバイザーから会員やプロアドバイザーに配信されたウェブサイト（ＥＣサイト）を介して商品またはサービスを対象としたインターネット電子商取引（ｅコマース）が行われる。
【００８７】
このシステム１０のソーシャル・ネットワーキング・サービス（ＳＮＳ）では、ウェブサイト（ＥＣサイト）を開設するためのサイト開設ツールが用意されており、その開設ツールを利用して会員やプロフェッショナルが独自のウェブサイト（ＥＣサイト）を開設し、開設したウェブサイトをこのシステム１０のソーシャルネットワークにアップロードすることができる。ソーシャル・ネットワーキング・サービスのサイト開設ツールには、プレゼント開催機能やメルマガ配信機能、デリバリー機能、ショッピングモール構築機能、ポイントシステム、アフィリエイト機能、Twitter連動機能等の販促・集客機能が設定されているとともに、商品・サービス管理機能や商品・サービス一括登録機能、画像登録管理機能、注文管理機能、顧客管理機能、アクセス制限機能、各ショップデータ解析機能等の各種管理機能が設定されている。
【００８８】
図９のＥＣサイト画面のユーザーサイト９ａを選択（クリック）すると、ＥＣサイトを開設した各会員のユーザー名（またはサイト名）を表示したユーザー名（またはサイト名）プルダウンリスト９ｇがユーザー端末１２Ａ〜１２Ｄやアドバイザー端末１３Ａ〜１３Ｄのディスプレイ１５，１６に表示される。ユーザー名（またはサイト名）プルダウンリスト９ｇから所定のユーザー名やサイト名を選択（クリック）（複数選択可）すると、選択したユーザー名やサイト名に対応したＥＣサイト（図示せず）がディスプレイ１５，１６に表示される。ＥＣサイトには、会員がインターネット電子商取引によって売買する女性の美に関する各種複数の商品またはサービスが表示される。ＥＣサイトでは、インターネット電子商取引によって会員どうしの間でまたは会員とプロアドバイザーとの間でそれら商品やサービスが売買される。
【００８９】
図９のＥＣサイト画面のプロサイト９ｂを選択（クリック）すると、ＥＣサイトを開設した各プロアドバイザーのプロアドバイザー名（またはサイト名）を表示したプロアドバイザー名（またはサイト名）プルダウンリスト９ｈがユーザー端末１２Ａ〜１２Ｄやアドバイザー端末１３Ａ〜１３Ｄのディスプレイ１５，１６に表示される。プロアドバイザー名（またはサイト名）プルダウンリスト９ｈから、所定のプロアドバイザー名やサイト名を選択（クリック）（複数選択可）すると、選択したプロアドバイザー名やサイト名に対応したＥＣサイト（図示せず）がディスプレイ１５，１６に表示される。ＥＣサイトには、プロアドバイザーがインターネット電子商取引によって売買する女性の美に関する各種複数の商品またはサービスが表示される。ＥＣサイトでは、インターネット電子商取引によってプロアドバイザーと各会員との間でまたはプロアドバイザーどうしの間でそれら商品やサービスが売買される。
【００９０】
図９のＥＣサイト画面のカテゴリー９ｃを選択（クリック）すると、美容、美学、美食、美肌、美髪、美服等の各種カテゴリーを表示したカテゴリープルダウンリスト９ｉがユーザー端末１２Ａ〜１２Ｄやアドバイザー端末１３Ａ〜１３Ｄのディスプレイ１５，１６に表示される。カテゴリープルダウンリスト９ｉから所定のそれを選択（クリック）すると、選択したカテゴリーのコンテンツプルダウンリスト（たとえば、美容を選択した場合、メイク、スキンケア、ヘアケア、ボディケア、エステ、ダイエット、美容法等）がディスプレイ１５，１６に表示される。コンテンツプルダウンリストから所定のそれを選択（クリック）（複数選択可）すると、選択したコンテンツに対応したＥＣサイト（図示せず）がディスプレイ１５，１６に表示される（ソーシャル・ネットワーキング・サービス提供手段）。ＥＣサイトには、会員またはプロアドバイザーが提供する女性の美に関する各種複数の商品またはサービスがユーザーショップまたはプロショップに表示され、会員どうしの間やプロアドバイザーと各会員との間、プロアドバイザーどうしの間においてそれら商品やサービスが売買される。なお、検索エリア９ｆにキーワードを入力して検索すると、そのキーワードに関連するＥＣサイトがディスプレイ１５，１６に表示される。
【００９１】
女性向けＳＮＳ提供システム１０は、女性の美に関する各種複数の商品または各種複数のサービスを対象としたインターネット電子商取引を行うためのウェブサイト（ＥＣサイト）を各会員に配信するから、ソーシャル・ネットワーキング・サービスにおけるウェブサイト（ＥＣサイト）を利用して各会員に女性の美に関する詳細かつ有益な商品やサービスの情報を提供することができ、各会員が女性の美に関する詳細かつ有益な商品やサービスの情報を取得することができる。
【００９２】
女性向けＳＮＳ提供システム１０は、会員がこのシステム１０において起業した場合、その会員の女性の美に関する各種複数の商品または各種複数のサービスを対象としたインターネット電子商取引を行うためのウェブサイト（ＥＣサイト）を各会員に配信することができ、起業した会員からソーシャル・ネットワーキング・サービスにおけるウェブサイト（ＥＣサイト）を利用して女性の美に関する詳細かつ有益な商品やサービスの情報を各会員に提供することができるとともに、各会員が女性の美に関する詳細かつ有益な商品やサービスの情報を取得することができる。
【００９３】
女性向けＳＮＳ提供システム１０は、起業した会員やプロアドバイザーから女性の美に関する有益な商品やサービスの情報がウェブサイト（ＥＣサイト）から各会員だけに提供されるから、起業した会員やプロアドバイザーからウェブサイト（ＥＣサイト）を介して女性の美に関する有益な商品を各会員だけが購入することができるとともに、起業した会員やプロアドバイザーからウェブサイト（ＥＣサイト）を介して女性の美に関する有益なサービスの提供を各会員だけが受けることができる。
【００９４】
図１０は、インターネット広告画面の一例を示す図である。図７のＳＮＳ選択画面において、美のｅ広告７ｄをクリックすると、サーバ１１は、特定多数の会員にインターネット広告をソーシャル・ネットワーキング・サービスとして配信する。会員登録したユーザー端末１２Ａ〜１２Ｄやアドバイザー端末１３Ａ〜１３Ｄのディスプレイ１５，１６には、図１０に示すインターネット広告画面が表示される。インターネット広告画面には、ユーザー広告１０ａ、専門広告（プロ広告）１０ｂ、カテゴリー１０ｃ、閉じるボタン１０ｄ、ＳＮＳボタン１０ｅ、検索エリア１０ｆが表示される。
【００９５】
図１０のインターネット広告画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄやアドバイザー端末１３Ａ〜１３Ｄのディスプレイ１５，１６に表示される。
【００９６】
このシステム１０のソーシャル・ネットワーキング・サービス（ＳＮＳ）では、女性の美に関する商品またはサービスを対象としたビジネスを立ち上げた（起業した）会員がそれら商品やサービスの宣伝・広告を行うため、その会員が独自に作成したインターネット広告がアップロードされている。サーバ１１は、ビジネスを立ち上げた会員から他の会員に対し（ユーザー端末１２Ａ〜１２Ｄに対し）、または、ビジネスを立ち上げた会員からプロアドバイザーに対し（アドバイザー端末１３Ａ〜１３Ｄに対し）、会員の商品またはサービスの宣伝・広告を行うためのインターネット広告を配信する（ソーシャル・ネットワーキング・サービス提供手段）。ソーシャル・ネットワーキング・サービス（ＳＮＳ）では、サーバ１１によって会員から会員やプロアドバイザーに配信されたインターネット広告を介して商品またはサービスの宣伝・広告が行われる。
【００９７】
このシステム１０のソーシャル・ネットワーキング・サービス（ＳＮＳ）では、プロフェッショナルとして登録されたプロアドバイザーが女性の美に関する商品やサービスの宣伝・広告を行うため、そのプロアドバイザーが独自に作成したインターネット広告がアップロードされている。サーバ１１は、プロアドバイザーから各会員に対し（ユーザー端末１２Ａ〜１２Ｄに対し）、または、プロアドバイザーに対し（アドバイザー端末１３Ａ〜１３Ｄに対し）、プロアドバイザーの女性の美に関する商品またはサービスを対象としたインターネット電子商取引を行うためのウェブサイト（ＥＣサイト）を配信する（ソーシャル・ネットワーキング・サービス提供手段）。ソーシャル・ネットワーキング・サービス（ＳＮＳ）では、サーバ１１によってプロアドバイザーから会員やプロアドバイザーに配信されたウェブサイト（ＥＣサイト）を介して商品またはサービスを対象としたインターネット電子商取引（ｅコマース）が行われる。
【００９８】
このシステム１０のソーシャル・ネットワーキング・サービス（ＳＮＳ）では、インターネット広告をアップロードするためのインターネット広告作成ツールが用意されており、その作成ツールを利用して会員やプロフェッショナルが独自のインターネット広告を作成し、作成したインターネット広告をこのシステム１０のソーシャルネットワークにアップロードすることができる。ソーシャル・ネットワーキング・サービスのインターネット広告作成ツールには、プレゼント開催機能やメルマガ配信機能、デリバリー機能、ショッピングモール構築機能、ポイントシステム、アフィリエイト機能、Twitter連動機能等の販促・集客機能が設定されているとともに、商品・サービス管理機能や商品・サービス一括登録機能、画像登録管理機能、注文管理機能、顧客管理機能、アクセス制限機能、各ショップデータ解析機能等の各種管理機能が設定されている。
【００９９】
図１０のインターネット広告画面のユーザー広告１０ａを選択（クリック）すると、インターネット広告をアップロードした各会員のユーザー名（または広告名）を表示したユーザー名（または広告名）プルダウンリスト１０ｇがユーザー端末１２Ａ〜１２Ｄやアドバイザー端末１３Ａ〜１３Ｄのディスプレイ１５，１６に表示される。ユーザー名（またはサイト名）プルダウンリスト９ｇから所定のユーザー名や広告名を選択（クリック）（複数選択可）すると、選択したユーザー名や広告名に対応したインターネット広告（図示せず）がディスプレイ１５，１６に表示される。インターネット広告には、会員がインターネット電子商取引によって売買する女性の美に関する各種複数の商品の詳細内容またはサービスの詳細内容が表示される。インターネット広告では、インターネット電子商取引によって会員どうしの間でまたは会員とプロアドバイザーとの間でそれら商品やサービスが売買される。
【０１００】
図１０のインターネット広告画面のプロ広告１０ｂを選択（クリック）すると、インターネット広告をアップロードした各プロアドバイザーのプロアドバイザー名（または広告名）を表示したプロアドバイザー名（または広告名）プルダウンリスト１０ｈがユーザー端末１２Ａ〜１２Ｄやアドバイザー端末１３Ａ〜１３Ｄのディスプレイ１５，１６に表示される。プロアドバイザー名（または広告名）プルダウンリスト１０ｈから、所定のプロアドバイザー名や広告名を選択（クリック）（複数選択可）すると、選択したプロアドバイザー名や広告名に対応したインターネット広告（図示せず）がディスプレイ１５，１６に表示される。インターネット広告には、プロアドバイザーがインターネット電子商取引によって売買する女性の美に関する各種複数の商品の詳細内容またはサービスの詳細内容が表示される。インターネット広告では、インターネット電子商取引によってプロアドバイザーと各会員との間でまたはプロアドバイザーどうしの間でそれら商品やサービスが売買される。
【０１０１】
図１０のインターネット広告画面のカテゴリー１０ｃを選択（クリック）すると、美容、美学、美食、美肌、美髪、美服等の各種カテゴリーを表示したカテゴリープルダウンリスト１０ｉがユーザー端末１２Ａ〜１２Ｄやアドバイザー端末１３Ａ〜１３Ｄのディスプレイ１５，１６に表示される（ソーシャル・ネットワーキング・サービス提供手段）。カテゴリープルダウンリスト１０ｉから所定のそれを選択（クリック）すると、選択したカテゴリーのコンテンツプルダウンリスト（たとえば、美容を選択した場合、メイク、スキンケア、ヘアケア、ボディケア、エステ、ダイエット、美容法等）がディスプレイ１５，１６に表示される。コンテンツプルダウンリストから所定のそれを選択（クリック）（複数選択可）すると、選択したコンテンツに対応したインターネット広告（図示せず）がディスプレイ１５，１６に表示される。インターネット広告には、会員またはプロアドバイザーが提供する女性の美に関する各種複数の商品の詳細内容またはサービスの詳細内容が表示され、会員どうしの間やプロアドバイザーと各会員との間、プロアドバイザーどうしの間においてそれら商品やサービスが売買される。なお、検索エリア１０ｆにキーワードを入力して検索すると、そのキーワードに関連するインターネット広告がディスプレイ１５，１６に表示される。
【０１０２】
女性向けＳＮＳ提供システム１０は、女性の美に関する各種複数の商品または各種複数のサービスを対象としたインターネット広告を各会員に配信するから、ソーシャル・ネットワーキング・サービスにおけるウェブサイトやメールを利用して各会員に女性の美に関する詳細かつ有益な商品やサービスの情報を提供することができ、各会員が女性の美に関する詳細かつ有益な商品やサービスの情報を取得することができる。
【０１０３】
女性向けＳＮＳ提供システム１０は、会員がこのシステム１０において起業した場合、その会員の女性の美に関する各種複数の商品または各種複数のサービスを対象としたインターネット広告を各会員に配信することができ、ソーシャル・ネットワーキング・サービスにおけるウェブサイトやメールを利用して起業した会員から女性の美に関する詳細かつ有益な商品やサービスの情報を各会員に提供することができるとともに、各会員が女性の美に関する詳細かつ有益な商品やサービスの情報を取得することができる。
【０１０４】
女性向けＳＮＳ提供システム１０は、起業した会員やプロアドバイザーから女性の美に関する有益な商品やサービスの情報がインターネット広告を利用して各会員だけに提供されるから、起業した会員やプロアドバイザーからインターネット広告を介して女性の美に関する有益な商品を各会員だけが購入することができるとともに、起業した会員やプロアドバイザーからインターネット広告を介して女性の美に関する有益なサービスの提供を各会員だけが受けることができる。
【０１０５】
図１１は、ｅラーニング画面の一例を示す図であり、図１２は、修了証画面の一例を示す図である。図７のＳＮＳ選択画面において、美のｅラーニング７ｉをクリックすると、サーバ１１は、特定多数の会員にｅラーニングをソーシャル・ネットワーキング・サービスとして配信する。会員登録したユーザー端末１２Ａ〜１２Ｄやアドバイザー端末１３Ａ〜１３Ｄのディスプレイ１５，１６には、図１１に示すｅラーニング画面が表示される。ｅラーニング画面には、講座コース１１ａ、講習コース１１ｂ、資格コース１１ｃ、カテゴリー１１ｄ、閉じるボタン１１ｅ、ＳＮＳボタン１１ｆ、検索エリア１１ｇが表示される。このシステム１０のソーシャル・ネットワーキング・サービス（ＳＮＳ）では、女性の美に関する各種のｅラーニングが準備されている。サーバ１１は、会員からｅラーニングの受講の希望があった場合、その会員に対してｅラーニングを実施する。
【０１０６】
図１１のｅラーニング画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄやアドバイザー端末１３Ａ〜１３Ｄのディスプレイ１５，１６に表示される。
【０１０７】
図１１のｅラーニング画面の講座コース１１ａを選択（クリック）すると、各講座名（たとえば、講座名Ａ〜講座名Ｅ等）を表示した講座名プルダウンリスト１１ｈがユーザー端末１２Ａ〜１２Ｄのディスプレイ１５に表示される。講座名プルダウンリスト１１ｈから所定の講座名を選択（クリック）（複数選択可）すると、選択した講座名に対応した講座の詳細な説明（講座内容、受講金額、受講期間等）（複数ページ）がディスプレイ１５に表示される（ソーシャル・ネットワーキング・サービス提供手段）。会員は、選択した講座の受講を希望する場合、受講案内にしたがって手続を進め、その講座の受講申込をすませた後、その講座をｅラーニングによって受講する。
【０１０８】
図１１のｅラーニング画面の講習コース１１ｂを選択（クリック）すると、各講習名（たとえば、講習名Ａ〜講習名Ｅ等）を表示した講習名プルダウンリスト１１ｉがユーザー端末１２Ａ〜１２Ｄのディスプレイ１５に表示される。講習名プルダウンリスト１１ｉから所定の講習名を選択（クリック）（複数選択可）すると、選択した講習名に対応した講習の詳細な説明（講習内容、受講金額、受講期間等）（複数ページ）がディスプレイ１５に表示される（ソーシャル・ネットワーキング・サービス提供手段）。会員は、選択した講習の受講を希望する場合、受講案内にしたがって手続を進め、その講習の受講申込をすませた後、その講習をｅラーニングによって受講する。
【０１０９】
図１１のｅラーニング画面の資格コース１１ｃを選択（クリック）すると、各資格名（たとえば、ファッションデザイナー、スタイリスト、メイクアップアーティスト、ジュエリーデザイナー、ウエディングプランナー、ネイリスト等）を表示した資格名プルダウンリスト１１ｊがユーザー端末１２Ａ〜１２Ｄのディスプレイ１５に表示される。資格名プルダウンリスト１１ｊから所定の資格名を選択（クリック）（複数選択可）すると、選択した資格名に対応した資格の詳細な説明（資格内容、受講金額、受講期間等）（複数ページ）がディスプレイ１５に表示される（ソーシャル・ネットワーキング・サービス提供手段）。会員は、選択した資格の受講を希望する場合、受講案内にしたがって手続を進め、その資格の受講申込をすませた後、その資格をｅラーニングによって受講する。
【０１１０】
図１１のｅラーニング画面のカテゴリー１１ｄを選択（クリック）すると、ファッション、メイク、きもの、洋裁、フラワー、美食等の各種カテゴリーを表示したカテゴリープルダウンリスト１１ｋがユーザー端末１２Ａ〜１２Ｄのディスプレイ１５に表示される。カテゴリープルダウンリスト１１ｋから所定のそれを選択（クリック）すると、選択したカテゴリーに対応する各種の講座、講習、資格を表示した講座、講習、資格プルダウンリストがディスプレイ１５に表示される（ソーシャル・ネットワーキング・サービス提供手段）。講座、講習、資格プルダウンリストから所定のそれを選択（クリック）（複数選択可）すると、選択した講座、講習、資格の詳細な説明（内容、受講金額、受講期間等）（複数ページ）がディスプレイ１５に表示される。会員は、選択した講座、講習、資格の受講を希望する場合、受講案内にしたがって手続を進め、その講座や講習、資格の受講申込をすませた後、講座や講習、資格をｅラーニングによって受講する。なお、検索エリア１１ｇにキーワードを入力して検索すると、そのキーワードに関連する各種の講座、講習、資格がディスプレイ１５に表示される。
【０１１１】
会員が所定の講座や講習、資格をｅラーニングによって受講し、試験合格等にかかわらず受講が修了すると、サーバ１１は、その会員に対して図８に示す修了証が発行されるとともに、その会員を講座や講習、資格に関するキャリアとして登録する（キャリア登録手段）。サーバ１１は、キャリアとして登録する会員のキャリア登録番号を生成し、そのキャリア登録番号を会員登録番号とログインＩＤ番号とパスワードとに関連付けた状態でハードディスクに記憶する。なお、図示はしていないが、キャリアとして登録された会員のユーザー端末１２Ａ〜１２Ｄのディスプレイ１５に表示された図７のＳＮＳ選択画面にはキャリアボタンが表示され、キャリアボタンをクリックすることで、キャリアの登録詳細がディスプレイ１５に表示される。
【０１１２】
図１２の修了証画面には、受講した講座コース、講習コース、資格コース、氏名表示エリア１２ａ、講座キャリア登録番号表示エリア１２ｂ、講習キャリア登録番号表示エリア１２ｃ、資格キャリア登録番号表示エリア１２ｄ、閉じるボタン１２ｅ、修了証印刷ボタン１２ｆ、ＳＮＳボタン１２ｇが表示される。なお、講座のみを修了した場合は、その講座の修了証画面が表示され、講習のみを修了した場合は、その講習の修了証画面が表示されるとともに、資格のみを修了した場合は、その資格の修了証画面が表示される。修了証印刷ボタン１２ｆをクリックすると、修了証がプリントされる。
【０１１３】
キャリアとして登録された会員は、このシステム１０のソーシャル・ネットワーキング・サービスにおける商品またはサービスを対象としたインターネット電子商取引（ｅコマース）おいて、キャリアとして登録された講座、講習、資格対策に関係する商品に割引が適用されるとともに、キャリアとして登録された講座、講習、資格対策に関係するサービスの提供に割引が適用される。会員は、商品の購入時やサービスの提供時にユーザー端末１２Ａ〜１２Ｄを介してキャリア登録番号を申請することで、割引を受けることができる。
【０１１４】
女性向けＳＮＳ提供システム１０は、各会員が希望する女性の美の向上に関する各種の講座、講習、資格試験がソーシャル・ネットワーキング・サービスを利用したｅラーニングとして実施されるから、ソーシャル・ネットワーキング・サービスを介して各会員が各種の講座、講習、資格試験対策の中から希望のそれを受講することができ、その講座、講習、資格試験対策を受講することで美の向上に関する各種の知識を取得することができる。システム１０は、所定の講座コースや講習コース資格コースを修了することで、修了した講座や講習、資格対策に関係する商品を売価からディスカウントした割安の価格で購入することができ、その講座、講習、資格対策に関係するサービスの提供を売価からディスカウントした割安の価格で受けることができる。
【０１１５】
図１３は、プロフェッショナルコンセプト画面の一例を示す図であり、図１４は、プロコンテンツ画面の一例を示す図である。図１５は、プロフェッショナル表示画面の一例を示す図である。図７のＳＮＳ選択画面において、美のｅプロフェッショナル７ｇをクリックすると、サーバ１１は、特定多数の会員やプロアドバイザーに女性の美に関する商品を販売するプロフェッショナル（プロアドバイザー）の各種複数の女性向けコンテンツまたは女性の美に関するサービスを提供するプロフェッショナルの各種複数の女性向けコンテンツをソーシャル・ネットワーキング・サービスとして配信する。会員登録したユーザー端末１２Ａ〜１２Ｄやアドバイザー端末１３Ａ〜１３Ｄのディスプレイ１５，１６には、図１３に示すプロフェッショナルコンセプト画面が表示される。
【０１１６】
図１３のプロフェッショナルコンセプト画面には、女性の美に関するコンセプト表示エリア１３ａ、プロフェッショナル紹介エリア１３ｂ、閉じるボタン１３ｃ、ＳＮＳボタン１３ｄ、検索エリア１３ｅが表示される。コンセプト表示エリア１３ａには、コンセプトとして、０１美容、０２美学、０３美食、０４美肌、０５美髪、０６美服が表示される。プロフェッショナル紹介エリア１３ｂには、アドバイザー登録されたプロアドバイザー（女性の美に関する豊富な知識を有するプロフェッショナル）の複数のプロアドバイザー名が表示される。
【０１１７】
会員やアドバイザーがコンセプト表示エリア１３ａに表示されたそれらコンセプトから所定のそれを選択（クリック）すると、そのコンセプトに対応する各種複数の女性の美容に関するコンテンツ（女性向けコンテンツ）がユーザー端末１２Ａ〜１２Ｄやアドバイザー端末１３Ａ〜１３Ｄのディスプレイ１５，１６に表示される（ソーシャル・ネットワーキング・サービス提供手段）。図１３のプロフェッショナルコンセプト画面のコンセプト表示エリア１３ａに表示されたコンセプトの中から０４美肌が選択されたものとする。
【０１１８】
コンセプト表示エリア１３ａの０４美肌を選択（クリック）すると、図１４に示すプロコンテンツ画面がユーザー端末１２Ａ〜１２Ｄやアドバイザー端末１３Ａ〜１３Ｄのディスプレイ１５，１６に表示される。図１４のプロコンテンツ画面には、女性の美肌のためのプロコンテンツ（女性向けコンテンツ）のプルダウンリスト１４ａ、閉じるボタン１４ｂ、ＳＮＳボタン１４ｃが表示される。なお、美肌に関するコンテンツは図示のそれらに限定されず、女性の美肌に関する他のあらゆるコンテンツが含まれる。
【０１１９】
女性の美肌のためのプロコンテンツのプルダウンリスト１４ａには、美肌に関する各種に分類されたコンテンツメニューが表示される。美肌に関する各種コンテンツメニューとして、１美肌を手に入れるコスメ、２美肌を手に入れる食事、３季節毎の美肌ケア、４美肌のための水分量、５美肌のための睡眠、６美肌のための運動、７肌荒れシミの原因、８美肌のためのバスタイム、９美肌のためのストレス緩和法、１０美肌のためのアロマセラピー等が表示される。プロコンテンツのプルダウンリスト１４ａから所定のコンテンツを選択（クリック）すると、選択したコンテンツの詳細な内容を示す階層構造のコンテンツ詳細画面（複数ページを含む）がユーザー端末１２Ａ〜１２Ｄやアドバイザー端末１３Ａ〜１３Ｄのディスプレイ１５に表示される。なお、美肌に関するコンテンツメニューは図示のそれらに限定されず、女性の美肌に関する他のあらゆるコンテンツメニューが含まれる。コンセプト表示エリア１３ａに表示された美肌以外の他のコンセプトを選択（クリック）すると、選択したコンセプトに関する各種に分類されたコンテンツメニューが表示される。
【０１２０】
会員やアドバイザーがプロフェッショナル紹介エリア１３ｂに表示されたそれらプロフェッショナル名から所定のそれを選択（クリック）すると、そのプロフェッショナル名の図１５に示すプロフェッショナル画面がユーザー端末１２Ａ〜１２Ｄやアドバイザー端末１３Ａ〜１３Ｄのディスプレイ１５，１６に表示される（ソーシャル・ネットワーキング・サービス提供手段）。図１５のプロフェッショナル画面には、選択されたプロフェッショナルのアドバイザー情報表示エリア１５ａ、女性の美髪のためのプロコンテンツ（女性向けコンテンツ）のプルダウンリスト１５ｂ、ホームページボタン１５ｃ、閉じるボタン１５ｄ、ＳＮＳボタン１５ｅが表示される。女性の美髪のためのプロコンテンツのプルダウンリスト１５ｂには、美髪に関する各種に分類されたコンテンツメニューが表示される。
【０１２１】
美髪に関する各種コンテンツメニューとして、１美髪になる食事、２美髪になるキューティクルケア、３美髪になるシャンプー、４美髪になるマッサージ、５美髪になるカラーリング、６プロによるダメージケア、７プロによる抜け毛予防、８美髪のための運動、９美髪のためのストレス緩和法、１０美髪のための睡眠等が表示される。プロコンテンツのプルダウンリスト１５ｂから所定のコンテンツを選択（クリック）すると、選択したコンテンツの詳細な内容を示す階層構造のコンテンツ詳細画面（複数ページを含む）がユーザー端末１２Ａ〜１２Ｄやアドバイザー端末１３Ａ〜１３Ｄのディスプレイ１５に表示される。
【０１２２】
女性向けＳＮＳ提供システム１０は、女性の美に関する各種複数の商品を販売するプロフェッショナルの各種複数の女性向けコンテンツや各種複数のサービスを提供するプロフェッショナルの各種複数の女性向けコンテンツがソーシャル・ネットワーキング・サービス（ＳＮＳ）を介して提供されるから、ソーシャル・ネットワーキング・サービスを利用して各会員に女性の美に関するプロフェッショナルの詳細かつ有益な商品やサービスに関する情報を提供することができ、各会員が女性の美に関するプロフェッショナルの詳細かつ有益な商品やサービスに関する情報を取得することができる。システム１０は、女性の美に関するプロフェッショナルの有益な商品やサービスの情報が各会員だけに提供されるから、プロフェッショナルが販売する女性の美に関する商品を各会員だけが購入することができるとともに、プロフェッショナルが提供する女性の美に関するサービスを各会員だけが受けることができる。
【０１２３】
図１６は、ブライダル画面の一例を示す図である。図７のＳＮＳ選択画面において、美のブライダル７ｈをクリックすると、サーバ１１は、特定多数の会員に女性のブライダルに関する商品を販売するプロフェッショナル（プロアドバイザー）の各種複数の女性向けコンテンツまたは女性のブライダルに関するサービスを提供するプロフェッショナルの各種複数の女性向けコンテンツをソーシャル・ネットワーキング・サービスとして配信する。ユーザー端末１２Ａ〜１２Ｄやアドバイザー端末１３Ａ〜１３Ｄのディスプレイ１５，１６には、図１６に示すブライダル画面が表示される。ブライダル画面には、ブライダルファッションデザイナー１６ａ、ブライダルプランナー１６ｂ、ブライダルコーディネーター１６ｃ、閉じるボタン１６ｄ、ＳＮＳボタン１６ｅ、検索エリア１６ｈが表示される。
【０１２４】
図１６のブライダル画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄやアドバイザー端末１３Ａ〜１３Ｄのディスプレイ１５，１６に表示される。
【０１２５】
図１６のブライダル画面のブライダルファッションデザイナー１６ａを選択（クリック）すると、各ブライダルファッションデザイナー名を表示したデザイナー名プルダウンリスト１６ｇがユーザー端末１２Ａ〜１２Ｄやアドバイザー端末１３Ａ〜１３Ｄのディスプレイ１５に表示される。デザイナー名プルダウンリスト１６ｇから所定のデザイナー名を選択（クリック）（複数選択可）すると、選択したデザイナー名に対応するブライダルファッションデザイナーが提供する各種複数のブライダルコンテンツ（女性向けコンテンツ）の詳細な内容を示す階層構造のブライダルコンテンツ詳細画面（複数ページを含む）がユーザー端末１２Ａ〜１２Ｄやアドバイザー端末１３Ａ〜１３Ｄのディスプレイ１５に表示される（ソーシャル・ネットワーキング・サービス提供手段）。
【０１２６】
図１６のブライダル画面のブライダルプランナー１６ｂを選択（クリック）すると、各ブライダルプランナー名を表示したプランナー名プルダウンリスト１６ｈがユーザー端末１２Ａ〜１２Ｄやアドバイザー端末１３Ａ〜１３Ｄのディスプレイ１５に表示される。プランナー名プルダウンリスト１６ｈから所定のプランナー名を選択（クリック）（複数選択可）すると、選択したプランナー名に対応するブライダルプランナーが提供する各種複数のブライダルコンテンツ（女性向けコンテンツ）の詳細な内容を示す階層構造のブライダルコンテンツ詳細画面（複数ページを含む）がユーザー端末１２Ａ〜１２Ｄやアドバイザー端末１３Ａ〜１３Ｄのディスプレイ１５に表示される（ソーシャル・ネットワーキング・サービス提供手段）。
【０１２７】
図１６のブライダル画面のブライダルコーディネーター１６ｃを選択（クリック）すると、各ブライダルコーディネーター名を表示したコーディネーター名プルダウンリスト１６ｈがユーザー端末１２Ａ〜１２Ｄやアドバイザー端末１３Ａ〜１３Ｄのディスプレイ１５に表示される。コーディネーター名プルダウンリスト１６ｈから所定のコーディネーター名を選択（クリック）（複数選択可）すると、選択したコーディネーター名に対応するブライダルコーディネーターが提供する各種複数のブライダルコンテンツ（女性向けコンテンツ）の詳細な内容を示す階層構造のブライダルコンテンツ詳細画面（複数ページを含む）がユーザー端末１２Ａ〜１２Ｄやアドバイザー端末１３Ａ〜１３Ｄのディスプレイ１５に表示される（ソーシャル・ネットワーキング・サービス提供手段）。なお、検索エリア１６ｆにキーワードを入力して検索すると、そのキーワードに対応する各種のブライダルファッションデザイナー、ブライダルプランナー、ブライダルコーディネーターがディスプレイ１５，１６に表示される。
【０１２８】
女性向けＳＮＳ提供システム１０は、女性のブライダルに関する各種複数の商品を販売するプロフェッショナル（ブライダルファッションデザイナー、ブライダルプランナー、ブライダルコーディネーター）の各種複数の女性向けコンテンツや女性のブライダルに関する各種複数のサービスを提供するプロフェッショナルの各種複数の女性向けコンテンツがソーシャル・ネットワーキング・サービス（ＳＮＳ）を介して提供されるから、ソーシャル・ネットワーキング・サービスを利用して各会員に女性のブライダルに関するプロフェッショナルの詳細かつ有益な商品やサービスに関する情報を提供することができ、各会員が女性のブライダルに関するプロフェッショナルの詳細かつ有益な商品やサービスに関する情報を取得することができる。
【０１２９】
女性向けＳＮＳ提供システム１０は、女性のブライダルに関するプロフェッショナルの有益な商品やサービスの情報が各会員だけに提供されるから、プロフェッショナルが販売する女性のブライダルに関する商品を各会員だけが購入することができるとともに、プロフェッショナルが提供する女性のブライダルに関するサービスを各会員だけが受けることができる。
【０１３０】
図１７は、投稿画面の一例を示す図である。図７のＳＮＳ選択画面において、美の投稿７ｆをクリックすると、サーバ１１は、ユーザー端末１２Ａ〜１２Ｄを利用して特定多数の会員から女性の美に関する各種の知識またはノウハウの投稿があった場合、投稿された知識またはノウハウの受信を希望する会員にそれらをソーシャル・ネットワーキング・サービスとして配信する。ユーザー端末１２Ａ〜１２Ｄのディスプレイ１５には、図１７に示す投稿画面が表示される。投稿画面には、会員番号入力エリア１７ａ、コンセプト入力エリア１７ｂ、投稿エリア１７ｃ、投稿ボタン１７ｄ、投稿受信ボタン１７ｅ、閉じるボタン１７ｆ、ＳＮＳボタン１７ｇ、ポイント表示ボタン１７ｈが表示される。
【０１３１】
なお、図１７の投稿画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄのディスプレイ１５に表示される。
【０１３２】
会員が女性の美に関する知識やノウハウを投稿する場合、投稿画面の会員番号入力エリア１７ａに会員番号を入力し、コンセプト入力エリア１７ｂにコンセプトを入力（プルダウンリストから選択）した後、投稿エリア１７ｃに女性の美に関する知識やノウハウ（文字、写真、動画等）を入力する。投稿エリア１７ｃに知識やノウハウを入力した後、投稿ボタン１７ｄをクリックする。
【０１３３】
投稿ボタン１７ｄをクリックすると、図示はしていないが、投稿送信確認画面がユーザー端末１２Ａ〜１２Ｄのディスプレイ１５に表示される。投稿送信確認画面には、会員名が表示された会員名表示エリア、会員番号が表示された会員番号表示エリア、コンセプトが表示されたコンセプト表示エリア、入力された投稿情報が表示された投稿情報表示エリア、送信ボタン、変更ボタン、戻るボタンが表示される。変更ボタンをクリックすると、変更画面がディスプレイ１５に表示され、入力した知識やノウハウを変更することができる。戻るボタンをクリックすると、投稿画面に戻る。
【０１３４】
投稿情報表示エリアに表示された知識やノウハウを確認した後、送信ボタンをクリックすると、会員名や会員番号、コンセプト、投稿情報がユーザー端末１２Ａ〜１２Ｄからサーバ１１に送信される。サーバ１１は、ユーザー端末１２Ａ〜１２Ｄから送信された会員名やコンセプト、投稿情報を会員登録番号とログインＩＤ番号とパスワードとに関連付けた状態でハードディスクに記憶する。
【０１３５】
会員が投稿された知識やノウハウを見る場合、図１７の投稿画面をディスプレイ１５に表示させた後、会員番号入力エリア１７ａに会員番号を入力し、コンセプト入力エリア１７ｂにコンセプトを入力（プルダウンリストから選択）した後、投稿受信ボタン１７ｅをクリックする。投稿受信ボタン１７ｅをクリックすると、サーバ１１は、入力されたコンセプトに対応する投稿情報（投稿された知識またはノウハウ）をユーザー端末１２Ａ〜１２Ｄに配信する（ソーシャル・ネットワーキング・サービス提供手段）。ユーザー端末１２Ａ〜１２Ｄのディスプレイ１５には、図示はしていないが、投稿表示画面が表示される。
【０１３６】
投稿表示画面には、会員番号が表示された会員番号表示エリア、コンセプトが表示されたコンセプト表示エリア、入力された投稿情報が表示された投稿情報表示エリア、投稿された情報に対するコメント入力エリア、投稿された情報に対する点数入力エリア、送信ボタン、閉じるボタン、ＳＮＳボタンが表示される。投稿表示画面を見た会員は、コメントがある場合、コメント入力エリアにコメントを入力し、投稿された情報を有益な知識または有益なノウハウであると判断した場合、点数入力エリアに点数（たとえば、１０〜１００点）を入力した後、送信ボタンをクリックする。
【０１３７】
送信ボタンをクリックすると、コメント入力エリアに入力されたコメントや点数入力エリアに入力された点数がユーザー端末１２Ａ〜１２Ｄからサーバ１１に送信される。サーバ１１は、送信されたコメントや点数を投稿した会員の会員登録番号とログインＩＤ番号とパスワードとに関連付けた状態でハードディスクに記憶する。サーバ１１は、知識やノウハウに付けられた点数によって所定のポイントを付与する。たとえば、点数の累計が１００点になった場合、１ポイントを付与する。サーバ１１は、付与したポイントを投稿した会員の会員登録番号とログインＩＤ番号とパスワードとに関連付けた状態でハードディスクに記憶する。
【０１３８】
知識やノウハウを投稿した会員が投稿画面の会員番号入力エリア１７ａに会員番号を入力した後、ポイント表示ボタン１７ｈをクリックすると、サーバ１１は、コメントや点数（累計点数を含む）、ポイント（累計ポイントを含む）をユーザー端末１２Ａ〜１２Ｄに送信する。会員は、ユーザー端末１２Ａ〜１２Ｄのディスプレイ１５においてコメント、点数（累計点数を含む）、ポイント（累計ポイントを含む）を確認することができる。また、会員は、そのポイントを利用して女性の美に関する商品を購入することができるとともに、女性の美に関するサービスの提供を受けることができる（ソーシャル・ネットワーキング・サービス提供手段）。
【０１３９】
女性向けＳＮＳ提供システム１０は、特定の会員がユーザー端末１２Ａ〜１２Ｄからサーバ１１に女性の美に関する各種の知識またはノウハウの投稿し、サーバ１１がそれら知識やノウハウを他の会員のユーザー端末１２Ａ〜１２Ｄに配信することで、女性の美に関する有益な知識やノウハウを各会員に提供することができ、各会員が女性の美に関する有益な知識やノウハウを取得することができる。システム１０は、女性の美に関する知識やノウハウをソーシャルネットワークを介して特定多数の会員に配信することができるから、構築したソーシャル・ネットワーキング・サービスにおいて女性の美に対する専門性を向上させることができ、女性の美を専門とする女性向けのソーシャル・ネットワーキング・サービスを構築することができる。
【０１４０】
女性向けＳＮＳ提供システム１０は、会員がこのシステム１０におけるソーシャル・ネットワーキング・サービスにおいて女性の美に関する有益な知識または有益なノウハウをサーバに投稿した場合、その会員にポイントを付与し、その会員がポイントを使用して商品を購入し、または、サービスの提供を受けることができるから、各会員に多くの有益な知識やノウハウを投稿させることができ、ポイントを利用することで商品やサービスの売買の促進を図ることができるとともに、構築したソーシャル・ネットワーキング・サービスにおいて女性の美に対する専門性を向上させることができる。
【０１４１】
図１８は、マッチング画面の一例を示す図であり、図１９は、キャリアマッチング画面の一例を示す図である。図２０は、プロマッチング画面の一例を示す図である。図７のＳＮＳ選択画面において、美のマッチング７ｅをクリックすると、サーバ１１は、ソーシャル・ネットワーキング・サービスとして、講座や講習、資格試験に関する知識の教授を希望する会員とその講座や講習、資格のキャリアとして登録された会員とのマッチングを行う。ユーザー端末１２Ａ〜１２Ｄのディスプレイ１５には、図１８に示す投マッチング画面が表示される。マッチング画面には、会員番号入力エリア１８ａ、コンセプト入力エリア１８ｂ、キャリアマッチング１８ｃ、プロマッチング１８ｄ、閉じるボタン１８ｅ、ＳＮＳボタン１８ｈが表示される。
【０１４２】
なお、図１８のマッチング画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄのディスプレイ１５に表示される。
【０１４３】
会員がキャリア登録した会員から女性の美に関する講座、講習、資格試験についての知識の教授を希望する場合、マッチング画面の会員番号入力エリア１８ａに会員番号を入力し、コンセプト入力エリア１８ｂにコンセプトを入力（プルダウンリストから選択）し、キャリアマッチング１８ｃをクリックする。キャリアマッチング１８ｃをクリックすると、コンセプト入力エリア１８ｂに入力したコンセプトに合致したキャリア会員の会員名プルダウンリスト１８ｇがディスプレイ１５に表示される。会員名プルダウンリスト１８ｇから所定の会員名を選択（クリック）（複数選択可）すると、選択したキャリア会員に対応した図１９に示すキャリアマッチング画面がユーザー端末１２Ａ〜１２Ｄのディスプレイ１５に表示される。
【０１４４】
図１９のキャリアマッチング画面には、キャリア情報表示エリア１９ａ、ホームページボタン１９ｂ、マッチングボタン１９ｃ、閉じるボタン１９ｄ、ＳＮＳボタン１９ｅが表示される。なお、図１９のキャリアマッチング画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄのディスプレイ１５に表示される。
【０１４５】
キャリアマッチング画面のキャリア情報表示エリア１９ａには、選択したキャリア会員の氏名、キャリア登録番号、講座名、講習名、資格名、プロフィール、写真が表示される。なお、講座名や講習名、資格名には、キャリアとして登録されたものだけが表示される。キャリア会員がホームぺージを開設している場合、ホームぺージボタン１９ｄをクリックすることでその会員のホームページを見ることができる。
【０１４６】
キャリアマッチング画面を確認し、そのキャリア会員とのマッチングを希望する場合、キャリアマッチング画面のマッチングボタン１９ｃをクリックする。マッチングボタン１９ｃをクリックすると、サーバ１１は、マッチングを希望する会員の会員登録情報をキャリア会員のユーザー端末１２Ａ〜１２Ｄに送信する。キャリア会員のユーザー端末１２Ａ〜１２Ｄのディスプレイ１５には、図示はしていないが、マッチングを希望する会員の会員登録情報を表示した会員登録情報画面が表示される。会員登録情報画面には、会員登録情報の他に、マッチング可ボタン、マッチング不可ボタンが表示される。キャリア会員がマッチング可ボタンをクリックすることで、キャリア会員とマッチングを希望する会員とのマッチングが成立する（ソーシャル・ネットワーキング・サービス提供手段）。マッチングが成立した場合、キャリア会員から会員に女性の美に関する講座、講習、資格試験についての知識が教授される。
【０１４７】
マッチングが成立した場合、サーバ１１は、マッチングを希望した会員のユーザー端末１２Ａ〜１２Ｄにマッチング成立メッセージを送信するとともに、マッチング成立情報、キャリア会員の会員登録情報、マッチングを希望した会員の会員登録情報を会員登録番号とログインＩＤ番号とパスワードとに関連付けた状態でハードディスクに記憶する。逆に、キャリア会員がマッチング不可ボタンをクリックすることで、キャリア会員とマッチングを希望する会員とのマッチングが不成立になる。マッチングが不成立の場合、サーバ１１は、マッチングを希望した会員のユーザー端末１２Ａ〜１２Ｄにマッチング不成立メッセージを送信するとともに、マッチング不成立情報、キャリア会員の会員登録情報、マッチングを希望した会員の会員登録情報を会員登録番号とログインＩＤ番号とパスワードとに関連付けた状態でハードディスクに記憶する。
【０１４８】
女性向けＳＮＳ提供システム１０は、キャリアとして登録された会員と美の向上に関する知識の教授を希望する会員とをマッチングさせることで、多数の会員がキャリアの会員から美の向上に関する知識を取得することができ、女性の美を専門とする女性向けのソーシャル・ネットワーキング・サービスを構築することができる。
【０１４９】
会員がプロフェッショナル（プロアドバイザー）から女性の美に関する知識の教授を希望する場合、マッチング画面の会員番号入力エリア１８ａに会員番号を入力し、コンセプト入力エリア１８ｂにコンセプトを入力（プルダウンリストから選択）し、プロマッチング１８ｄをクリックする。プロマッチング１８ｄをクリックすると、コンセプト入力エリア１８ｂに入力したコンセプトに合致したプロアドバイザーのアドバイザー名プルダウンリスト１８ｈがディスプレイ１５に表示される。アドバイザー名プルダウンリスト１８ｈから所定のプロアドバイザー名を選択（クリック）（複数選択可）すると、選択したプロアドバイザーに対応した図２０に示すプロマッチング画面がユーザー端末１２Ａ〜１２Ｄのディスプレイ１５に表示される。
【０１５０】
図２０のプロマッチング画面には、プロアドバイザー情報表示エリア２０ａ、ホームページボタン２０ｂ、マッチングボタン２０ｃ、閉じるボタン２０ｄ、ＳＮＳボタン２０ｅ、コンセプトプルダウンリスト２０ｆが表示される。プロマッチング画面のプロアドバイザー情報表示エリア２０ａには、選択したプロアドバイザーの氏名、住所、ＴＥＬ、ＦＡＸ、メールアドレス、専門分野、プロフィール、写真が表示される。ホームぺージボタン２０ｂをクリックすることでそのプロアドバイザーのホームページを見ることができる。
【０１５１】
なお、図２０のプロマッチング画面には、図示はしていないが、オンライン・ツー・オフライン（Ｏ２Ｏ）として公開される女性の美に関するコンテンツにつながる各種複数のリンクが表示される（リンク表示手段）。各リンクをクリックすると、そのリンク（リンクに記載されたＵＲＬ）に対応するオンライン・ツー・オフラインのｗｅｂページがユーザー端末１２Ａ〜１２Ｄのディスプレイ１５に表示される。
【０１５２】
プロマッチング画面を確認し、そのプロアドバイザーとのマッチングを希望する場合、コンセプトプルダウンリスト２０ｆから希望するコンセプトを選択（反転）し、プロマッチング画面のマッチングボタン２０ｃをクリックする。マッチングボタン２０ｃをクリックすると、サーバ１１は、マッチングを希望する会員の会員登録情報をプロアドバイザーのアドバーザー端末１３Ａ〜１３Ｄに送信する。プロアドバイザーのアドバイザー端末１３Ａ〜１３Ｄのディスプレイ１６には、図示はしていないが、マッチングを希望する会員の会員登録情報を表示した会員登録情報画面が表示される。会員登録情報画面には、会員登録情報の他に、マッチング可ボタン、マッチング不可ボタンが表示される。プロアドバイザーがマッチング可ボタンをクリックすることで、プロアドバイザーとマッチングを希望する会員とのマッチングが成立する（ソーシャル・ネットワーキング・サービス提供手段）。マッチングが成立した場合、プロアドバイザーから会員に女性の美に関する知識が教授される。
【０１５３】
マッチングが成立した場合、サーバ１１は、マッチングを希望した会員のユーザー端末１２Ａ〜１２Ｄにマッチング成立メッセージを送信するとともに、マッチング成立情報、プロアドバイザーのアドバイザー登録情報、マッチングを希望した会員の会員登録情報を会員登録番号とログインＩＤ番号とパスワードとに関連付けた状態でハードディスクに記憶する。逆に、プロアドバイザーがマッチング不可ボタンをクリックすることで、プロアドバイザーとマッチングを希望する会員とのマッチングが不成立になる。マッチングが不成立の場合、サーバ１１は、マッチングを希望した会員のユーザー端末１２Ａ〜１２Ｄにマッチング不成立メッセージを送信するとともに、マッチング不成立情報、プロアドバイザーのアドバイザー登録情報、マッチングを希望した会員の会員登録情報を会員登録番号とログインＩＤ番号とパスワードとに関連付けた状態でハードディスクに記憶する。
【０１５４】
女性向けＳＮＳ提供システム１０は、女性の美に関する所定の知識を有するプロフェッショナル（プロアドバイザー）と美の向上に関する知識の教授を希望する会員とをマッチングさせることで、多数の会員がプロアドバイザーから美の向上に関する知識やノウハウを取得することができ、プロアドバイザーを交えた女性の美を専門とする女性向けのソーシャル・ネットワーキング・サービスを構築することができる。
【符号の説明】
【０１５５】
１０    女性向けＳＮＳ提供システム
１１    サーバ
１２Ａ〜１２Ｄ  ユーザー端末
１３Ａ〜１３Ｄ  アドバイザー端末
１４    インターネット
１５    ディスプレイ
１６    ディスプレイ
【図１】
2015095170.tif 000003
【図２】
2015095170.tif 000004
【図３】
2015095170.tif 000005
【図４】
2015095170.tif 000006
【図５】
2015095170.tif 000007
【図６】
2015095170.tif 000008
【図７】
2015095170.tif 000009
【図８】
2015095170.tif 000010
【図９】
2015095170.tif 000011
【図１０】
2015095170.tif 000012
【図１１】
2015095170.tif 000013
【図１２】
2015095170.tif 000014
【図１３】
2015095170.tif 000015
【図１４】
2015095170.tif 000016
【図１５】
2015095170.tif 000017
【図１６】
2015095170.tif 000018
【図１７】
2015095170.tif 000019
【図１８】
2015095170.tif 000020
【図１９】
2015095170.tif 000021
【図２０】
2015095170.tif 000022